(57)【要約】【課題】デジタル制御方式に対応する照明器具を位相調光信号又は位相切欠き信号によって制御すること、及び、信号線式に対応する照明器具を位相切欠き信号によって制御することのうちの一方を実行できる信号変換装置を提供する。【解決手段】信号変換装置２０１は、信号生成部２１０と、出力部２２０と、受信部２３０と、制御部２４１とを備える。信号生成部２１０は、デジタル信号又はパルス幅変調信号を生成する。出力部２２０は、信号生成部２１０が生成した信号を照明器具３０１へ出力する。受信部２３０は、位相調光信号又は位相切欠き信号を受信する。制御部２４１は、受信部２３０が受信した位相調光信号又は位相切欠き信号に対応するデジタル信号を生成するように、信号生成部２１０を制御する。あるいは、制御部２４１は、受信部２３０が受信した位相切欠き信号に対応するパルス幅変調信号を生成するように、信号生成部２１０を制御する。【選択図】図４
2018160375.tif 000002
【特許請求の範囲】
【請求項１】
照明器具を制御するデジタル信号又はパルス幅変調信号を生成する信号生成部と、
前記照明器具に電気的に接続し、前記信号生成部が生成した信号を前記照明器具へ出力する出力部と、
位相調光信号又は位相切欠き信号を受信する受信部と、
前記受信部が受信した信号に基づいて前記信号生成部を制御する制御部と
を備え、
前記デジタル信号は、コマンドによって前記照明器具を制御する信号であり、
前記パルス幅変調信号は、デューティ比によって前記照明器具を制御する信号であり、
前記位相調光信号は、交流電圧の半波の導通角によって前記照明器具を制御する信号であり、
前記位相切欠き信号は、交流電圧の波形の一部を切欠いた信号であって、前記交流電圧の波形の切欠きを含む箇所と前記切欠きを含まない箇所との組み合わせによって前記照明器具を制御する信号であり、
前記制御部は、前記位相調光信号又は前記位相切欠き信号に対応する前記デジタル信号を生成するように、前記信号生成部を制御するか、あるいは、前記位相切欠き信号に対応する前記パルス幅変調信号を生成するように、前記信号生成部を制御する、信号変換装置。
【請求項２】
前記受信部は、第１受信部及び第２受信部を含み、
前記第１受信部は、前記位相調光信号又は前記位相切欠き信号を受信し、
前記第２受信部は、前記位相切欠き信号を受信し、
前記制御部は、前記第１受信部が受信した信号に対応する前記デジタル信号と、前記第２受信部が受信した信号に対応する前記パルス幅変調信号とを生成するように、前記信号生成部を制御し、
前記出力部は、
前記デジタル信号を出力する第１出力部と、前記パルス幅変調信号を出力する第２出力部とを含み、
前記照明器具は、前記第１出力部に電気的に接続する照明器具と、前記第２出力部に電気的に接続する照明器具とを含む、請求項１に記載の信号変換装置。
【請求項３】
前記受信部は、前記位相調光信号を受信する第１受信部と、前記位相切欠き信号を受信する第２受信部とを含み、
前記制御部は、前記位相調光信号に対応する前記デジタル信号又は前記パルス幅変調信号と、前記位相切欠き信号に対応する前記デジタル信号又は前記パルス幅変調信号とを生成するように、前記信号生成部を制御し、
前記出力部は、第１出力部と第２出力部とを含み、
前記照明器具は、前記第１出力部に電気的に接続する照明器具と、前記第２出力部に電気的に接続する照明器具とを含み、
前記第１出力部は、前記位相切欠き信号に対応する前記デジタル信号又は前記パルス幅変調信号を、前記第１出力部に電気的に接続する前記照明器具に出力し、
前記第２出力部は、前記位相調光信号に対応する前記デジタル信号又は前記パルス幅変調信号を、前記第２出力部に電気的に接続する前記照明器具に出力する、請求項１に記載の信号変換装置。
【請求項４】
前記制御部は、
前記受信部が受信した信号が前記位相調光信号と前記位相切欠き信号とのいずれであるかを判定し、
前記判定の結果に基づき、前記位相調光信号又は前記位相切欠き信号に対応する前記デジタル信号を生成するように、前記信号生成部を制御する、請求項１又は請求項２に記載の信号変換装置。
【請求項５】
前記制御部は、前記受信部が受信した信号の波形が正弦波を含むか否かに応じて、前記受信部が受信した信号が前記位相調光信号と前記位相切欠き信号とのいずれであるかを判定する、請求項４に記載の信号変換装置。
【請求項６】
前記制御部は、
前記照明器具の制御形式が、前記デジタル信号と前記パルス幅変調信号とのうちのいずれによって制御される形式であるかを判定し、
前記判定の結果に基づき、前記位相調光信号又は前記位相切欠き信号に対応する前記デジタル信号又は前記パルス幅変調信号を生成するように、前記信号生成部を制御する、請求項１から請求項５のいずれか１項に記載の信号変換装置。
【請求項７】
前記照明器具から送信された信号を検出する信号検出部を更に備え、
前記信号生成部は、前記照明器具に対して応答を要求する信号を生成し、
前記制御部は、前記信号検出部が前記応答を示す信号を検出したか否かに応じて、前記照明器具の制御形式が、前記デジタル信号と前記パルス幅変調信号とのうちのいずれによって制御される形式であるかを判定する、請求項６に記載の信号変換装置。
【請求項８】
照明制御装置、信号変換装置、及び照明器具を備える照明システムであって、
前記照明制御装置は、位相調光信号又は位相切欠き信号を出力し、
前記信号変換装置は、前記照明制御装置から出力される信号に基づいて、前記照明器具を制御するデジタル信号又はパルス幅変調信号を出力し、
前記信号変換装置は、
前記デジタル信号又は前記パルス幅変調信号を生成する信号生成部と、
前記照明器具に電気的に接続し、前記信号生成部が生成した信号を前記照明器具へ出力する出力部と、
前記位相調光信号又は前記位相切欠き信号を受信する受信部と、
前記受信部が受信した信号に基づいて前記信号生成部を制御する制御部と
を備え、
前記デジタル信号は、コマンドによって前記照明器具を制御する信号であり、
前記パルス幅変調信号は、デューティ比によって前記照明器具を制御する信号であり、
前記位相調光信号は、交流電圧の半波の導通角によって前記照明器具を制御する信号であり、
前記位相切欠き信号は、交流電圧の波形の一部を切欠いた信号であって、前記交流電圧の波形の切欠きを含む箇所と前記切欠きを含まない箇所との組み合わせによって前記照明器具を制御する信号であり、
前記制御部は、前記位相調光信号又は前記位相切欠き信号に対応する前記デジタル信号を生成するように、前記信号生成部を制御するか、あるいは、前記位相切欠き信号に対応する前記パルス幅変調信号を生成するように、前記信号生成部を制御する、照明システム。
【請求項９】
照明器具を制御するデジタル信号又はパルス幅変調信号を生成する第１信号生成部と、
前記照明器具に電気的に接続し、前記第１信号生成部が生成した信号を前記照明器具へ出力する出力部と、
位相調光信号又は位相切欠き信号を生成する第２信号生成部と、
前記第２信号生成部によって生成された信号に基づいて前記第１信号生成部を制御する制御部と
を備え、
前記デジタル信号は、コマンドによって前記照明器具を制御する信号であり、
前記パルス幅変調信号は、デューティ比によって前記照明器具を制御する信号であり、
前記位相調光信号は、交流電圧の半波の導通角によって前記照明器具を制御する信号であり、
前記位相切欠き信号は、交流電圧の波形の一部を切欠いた信号であって、前記交流電圧の波形の切欠きを含む箇所と前記切欠きを含まない箇所との組み合わせによって前記照明器具を制御する信号であり、
前記制御部は、前記位相調光信号又は前記位相切欠き信号に対応する前記デジタル信号を生成するように、前記第１信号生成部を制御するか、あるいは、前記位相切欠き信号に対応する前記パルス幅変調信号を生成するように、前記第１信号生成部を制御する、照明制御装置。
【発明の詳細な説明】
【技術分野】
【０００１】
本発明は、信号変換装置、照明システム、及び照明制御装置に関する。
【背景技術】
【０００２】
近年、照明用光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の制御方式には、例えば、位相制御方式と信号線式とがある。信号線式は、ＰＷＭ（Ｐｕｌｓｅ  Ｗｉｄｔｈ  Ｍｏｄｕｌａｔｉｏｎ）制御方式とも呼ばれる。
【０００３】
一般的には、位相制御方式に対応する照明器具には、位相調光信号を出力する照明制御装置を接続する必要がある。同様に、信号線式に対応する照明器具には、ＰＷＭ信号（パルス幅変調信号）を出力する照明制御装置を接続する必要がある。その一方で、位相調光信号を出力する照明制御装置を利用して、信号線式に対応する照明器具を制御することが要望されている。このような要望に応えるために、位相調光信号をＰＷＭ信号に変換して、信号線式に対応する照明器具を制御する装置が提案されている（例えば、特許文献１参照。）。
【０００４】
ところで、ＬＥＤ照明器具の制御方式には、位相制御方式及び信号線式の他にも、デジタル制御方式と位相切欠き制御方式とがある。デジタル制御方式には、ＤＡＬＩ（Ｄｉｇｉｔａｌ  Ａｄｄｒｅｓｓａｂｌｅ  Ｌｉｇｈｔｉｎｇ  Ｉｎｔｅｒｆａｃｅ）制御方式等がある。位相切欠き制御方式は、位相切欠き信号によって照明器具を制御する方式である。位相切欠き信号は、交流電圧の波形の一部を切欠いた信号であり、交流電圧の波形の切欠きを含む箇所と切欠きを含まない箇所との組み合わせによって、ＬＥＤ照明器具が制御される（例えば、特許文献２参照。）。
【先行技術文献】
【特許文献】
【０００５】
【特許文献１】特開２０１５−０９２４５１号公報
【特許文献２】特開２０１５−２１１０１４号公報
【発明の概要】
【発明が解決しようとする課題】
【０００６】
一般的に、デジタル制御方式に対応する照明器具には、ＤＡＬＩ信号のようなデジタル信号を出力する照明制御装置を接続する必要がある。同様に、位相切欠き制御方式に対応する照明器具には、位相切欠き信号を出力する照明制御装置を接続する必要がある。
【０００７】
本発明の目的は、位相調光信号又は位相切欠き信号によって、デジタル制御方式に対応する照明器具を制御すること、及び、位相切欠き信号によって、信号線式に対応する照明器具を制御することのうちの少なくとも一方を実行できる信号変換装置、照明システム、及び照明制御装置を提供することにある。
【課題を解決するための手段】
【０００８】
本願に開示する信号変換装置は、信号生成部と、出力部と、受信部と、制御部とを備える。前記信号生成部は、照明器具を制御するデジタル信号又はパルス幅変調信号を生成する。前記出力部は、前記照明器具に電気的に接続し、前記信号生成部が生成した信号を前記照明器具へ出力する。前記受信部は、位相調光信号又は位相切欠き信号を受信する。前記制御部は、前記受信部が受信した信号に基づいて前記信号生成部を制御する。前記デジタル信号は、コマンドによって前記照明器具を制御する信号である。前記パルス幅変調信号は、デューティ比によって前記照明器具を制御する信号である。前記位相調光信号は、交流電圧の半波の導通角によって前記照明器具を制御する信号である。前記位相切欠き信号は、交流電圧の波形の一部を切欠いた信号であって、前記交流電圧の波形の切欠きを含む箇所と前記切欠きを含まない箇所との組み合わせによって前記照明器具を制御する信号である。前記制御部は、前記位相調光信号又は前記位相切欠き信号に対応する前記デジタル信号を生成するように、前記信号生成部を制御するか、あるいは、前記位相切欠き信号に対応する前記パルス幅変調信号を生成するように、前記信号生成部を制御する。
【０００９】
本願に開示する信号変換装置において、前記受信部は、第１受信部及び第２受信部を含んでもよい。前記第１受信部は、前記位相調光信号又は前記位相切欠き信号を受信してもよい。前記第２受信部は、前記位相切欠き信号を受信してもよい。前記制御部は、前記第１受信部が受信した信号に対応する前記デジタル信号と、前記第２受信部が受信した信号に対応する前記パルス幅変調信号とを生成するように、前記信号生成部を制御してもよい。前記出力部は、前記デジタル信号を出力する第１出力部と、前記パルス幅変調信号を出力する第２出力部とを含んでもよい。前記照明器具は、前記第１出力部に電気的に接続する照明器具と、前記第２出力部に電気的に接続する照明器具とを含んでもよい。
【００１０】
本願に開示する信号変換装置において、前記受信部は、前記位相調光信号を受信する第１受信部と、前記位相切欠き信号を受信する第２受信部とを含んでもよい。前記制御部は、前記位相調光信号に対応する前記デジタル信号又は前記パルス幅変調信号と、前記位相切欠き信号に対応する前記デジタル信号又は前記パルス幅変調信号とを生成するように、前記信号生成部を制御してもよい。前記出力部は、第１出力部と第２出力部とを含んでもよい。前記照明器具は、前記第１出力部に電気的に接続する照明器具と、前記第２出力部に電気的に接続する照明器具とを含んでもよい。前記第１出力部は、前記位相切欠き信号に対応する前記デジタル信号又は前記パルス幅変調信号を、前記第１出力部に電気的に接続する前記照明器具に出力してもよい。前記第２出力部は、前記位相調光信号に対応する前記デジタル信号又は前記パルス幅変調信号を、前記第２出力部に電気的に接続する前記照明器具に出力してもよい。
【００１１】
本願に開示する信号変換装置において、前記制御部は、前記受信部が受信した信号が前記位相調光信号と前記位相切欠き信号とのいずれであるかを判定してもよい。また、前記制御部は、前記判定の結果に基づき、前記位相調光信号又は前記位相切欠き信号に対応する前記デジタル信号を生成するように、前記信号生成部を制御してもよい。
【００１２】
本願に開示する信号変換装置において、前記制御部は、前記受信部が受信した信号の波形が正弦波を含むか否かに応じて、前記受信部が受信した信号が前記位相調光信号と前記位相切欠き信号とのいずれであるかを判定してもよい。
【００１３】
本願に開示する信号変換装置において、前記制御部は、前記照明器具の制御形式が、前記デジタル信号と前記パルス幅変調信号とのうちのいずれによって制御される形式であるかを判定してもよい。また、前記制御部は、前記判定の結果に基づき、前記位相調光信号又は前記位相切欠き信号に対応する前記デジタル信号又は前記パルス幅変調信号を生成するように、前記信号生成部を制御してもよい。
【００１４】
本願に開示する信号変換装置は、前記照明器具から送信された信号を検出する信号検出部を更に備えてもよい。前記信号生成部は、前記照明器具に対して応答を要求する信号を生成してもよい。前記制御部は、前記信号検出部が前記応答を示す信号を検出したか否かに応じて、前記照明器具の制御形式が、前記デジタル信号と前記パルス幅変調信号とのうちのいずれによって制御される形式であるかを判定してもよい。
【００１５】
本願に開示する照明システムは、照明制御装置、信号変換装置、及び照明器具を備える。前記照明制御装置は、位相調光信号又は位相切欠き信号を出力する。前記信号変換装置は、前記照明制御装置から出力される信号に基づいて、前記照明器具を制御するデジタル信号又はパルス幅変調信号を出力する。前記信号変換装置は、信号生成部と、出力部と、受信部と、制御部とを備える。前記信号生成部は、前記デジタル信号又は前記パルス幅変調信号を生成する。前記出力部は、前記照明器具に電気的に接続し、前記信号生成部が生成した信号を前記照明器具へ出力する。前記受信部は、前記位相調光信号又は前記位相切欠き信号を受信する。前記制御部は、前記受信部が受信した信号に基づいて前記信号生成部を制御する。前記デジタル信号は、コマンドによって前記照明器具を制御する信号である。前記パルス幅変調信号は、デューティ比によって前記照明器具を制御する信号である。前記位相調光信号は、交流電圧の半波の導通角によって前記照明器具を制御する信号である。前記位相切欠き信号は、交流電圧の波形の一部を切欠いた信号であって、前記交流電圧の波形の切欠きを含む箇所と前記切欠きを含まない箇所との組み合わせによって前記照明器具を制御する信号である。前記制御部は、前記位相調光信号又は前記位相切欠き信号に対応する前記デジタル信号を生成するように、前記信号生成部を制御するか、あるいは、前記位相切欠き信号に対応する前記パルス幅変調信号を生成するように、前記信号生成部を制御する。
【００１６】
本願に開示する照明制御装置は、第１信号生成部と、出力部と、第２信号生成部と、制御部とを備える。前記第１信号生成部は、照明器具を制御するデジタル信号又はパルス幅変調信号を生成する。前記出力部は、前記照明器具に電気的に接続し、前記第１信号生成部が生成した信号を前記照明器具へ出力する。前記第２信号生成部は、位相調光信号又は位相切欠き信号を生成する。前記制御部は、前記第２信号生成部によって生成された信号に基づいて前記第１信号生成部を制御する。前記デジタル信号は、コマンドによって前記照明器具を制御する信号である。前記パルス幅変調信号は、デューティ比によって前記照明器具を制御する信号である。前記位相調光信号は、交流電圧の半波の導通角によって前記照明器具を制御する信号である。前記位相切欠き信号は、交流電圧の波形の一部を切欠いた信号であって、前記交流電圧の波形の切欠きを含む箇所と前記切欠きを含まない箇所との組み合わせによって前記照明器具を制御する信号である。前記制御部は、前記位相調光信号又は前記位相切欠き信号に対応する前記デジタル信号を生成するように、前記第１信号生成部を制御するか、あるいは、前記位相切欠き信号に対応する前記パルス幅変調信号を生成するように、前記第１信号生成部を制御する。
【発明の効果】
【００１７】
本発明によれば、位相調光信号又は位相切欠き信号によって、デジタル制御方式に対応する照明器具を制御すること、及び、位相切欠き信号によって、信号線式に対応する照明器具を制御することのうちの少なくとも一方を実行することができる。
【図面の簡単な説明】
【００１８】
【図１】本発明の実施形態１に係る照明システム示す図である。
【図２】本発明の実施形態１に係る位相調光信号の一例を示す図である。
【図３】（ａ）はＤＡＬＩ信号の一例を示す図であり、（ｂ）はＤＡＬＩプロトコルのフォワードフレームの構造を示す図である。
【図４】本発明の実施形態１に係る第１信号変換装置の構成を示す図である。
【図５】本発明の実施形態２に係る照明システム示す図である。
【図６】本発明の実施形態２に係る位相切欠き信号の一例を示す図である。
【図７】本発明の実施形態２に係る第２信号変換装置の構成を示す図である。
【図８】本発明の実施形態３に係る照明システムを示す図である。
【図９】（ａ）及び（ｂ）は、ＰＷＭ信号の一例を示す図である。
【図１０】本発明の実施形態３に係る第３信号変換装置の構成を示す図である。
【図１１】本発明の実施形態４に係る照明システムを示す図である。
【図１２】本発明の実施形態４に係る第１判定処理を示すフローチャートである。
【図１３】本発明の実施形態４に係る第４信号変換装置の構成を示す図である。
【図１４】本発明の実施形態５に係る照明システムを示す図である。
【図１５】本発明の実施形態５に係る第２判別処理を示すフローチャートである。
【図１６】ＤＡＬＩプロトコルのバックワードフレームの構造を示す図である。
【図１７】本発明の実施形態５に係る第５信号変換装置の構成を示す図である。
【図１８】本発明の実施形態６に係る照明システムを示す図である。
【図１９】本発明の実施形態６に係る第６信号変換装置の構成を示す図である。
【図２０】本発明の実施形態７に係る照明システムを示す図である。
【図２１】本発明の実施形態７に係る第７信号変換装置の構成を示す図である。
【図２２】本発明の実施形態８に係る照明システムを示す図である。
【図２３】本発明の実施形態８に係る第４照明制御装置の構成を示す図である。
【発明を実施するための形態】
【００１９】
以下、図面を参照して本発明の実施形態を説明する。ただし、本発明は以下の実施形態に限定されない。図中、同一又は相当部分については同一の参照符号を付して説明を繰り返さない。
【００２０】
［実施形態１］
図１は、実施形態１に係る照明システム１を示す図である。図１に示すように、実施形態１に係る照明システム１は、第１照明制御装置１０１と、第１信号変換装置２０１と、複数の第１照明器具３０１とを備える。
【００２１】
第１照明制御装置１０１は位相制御方式に対応し、第１照明器具３０１を制御する位相調光信号を出力する。第１信号変換装置２０１は、第１照明制御装置１０１から出力された位相調光信号に基づいて、第１照明器具３０１を制御するデジタル信号を生成する。換言すると、第１信号変換装置２０１は、位相調光信号をデジタル信号に変換する。
【００２２】
第１照明器具３０１の制御方式は、デジタル制御方式である。本実施形態において、第１照明器具３０１の制御方式はＤＡＬＩ制御方式であり、第１信号変換装置２０１は、デジタル信号として、ＤＡＬＩプロトコルに則ったＤＡＬＩ信号を出力する。したがって、第１信号変換装置２０１は、第１照明器具３０１に対してマスタとなり、第１照明器具３０１は、第１信号変換装置２０１に対してスレーブとなる。第１照明器具３０１は、照明素子として、例えばＬＥＤ又は有機ＥＬ素子を備える。
【００２３】
具体的には、第１信号変換装置２０１は、第１照明制御装置１０１が出力する位相調光信号に基づいて、ＤＡＬＩプロトコルのフォワードフレームに対応するデジタル信号（データパケット）を生成する。データパケットは、制御コマンドを示す。制御コマンドは、第１照明器具３０１を制御するコマンドである。したがって、第１信号変換装置２０１から出力されるデジタル信号は、データパケットが示すコマンド（制御コマンド）によって、第１照明器具３０１を制御する。
【００２４】
第１照明器具３０１は、マスタ（第１信号変換装置２０１）から指令されたコマンドに対応する動作を実行する。例えば、第１照明器具３０１は、受信したデータパケットが示す制御コマンドに応じて、第１照明器具３０１から出射される光の光量を変更する。
【００２５】
位相調光信号は、第１照明器具３０１を制御する制御値を示す。第１信号変換装置２０１は、位相調光信号の制御値に対応するＤＡＬＩ信号を第１照明器具３０１の各々に出力する。具体的には、ＤＡＬＩ信号は、位相調光信号の制御値に対応する制御コマンドを示す。この結果、第１照明器具３０１は、位相調光信号に対応する動作を実行する。本実施形態において、位相調光信号は、第１照明器具３０１の各々から出射される光の光量（例えば、調光率）を制御する制御値を示す。したがって、制御コマンドは光の光量の変更を指令し、第１照明器具３０１は、位相調光信号に対応する光を発生する。
【００２６】
続いて図２を参照して、第１照明制御装置１０１が出力する位相調光信号１０について説明する。図２は、位相調光信号１０の一例を示す図である。具体的には、図２は、第１照明制御装置１０１に電源が投入された直後に第１照明制御装置１０１から出力される信号の波形を示す。
【００２７】
図２に示すように、位相調光信号１０は、交流電圧の半波１１の導通角が制御された信号である。具体的には、位相調光信号１０は正位相調光信号であり、交流電圧の半波１１の導通が開始する位相が制御される。なお、正位相調光信号の導通角は、交流電圧の半波１１の導通が開始する位相（導通開始位相）から、交流電圧の半波１１が終了する位相（ゼロクロス点）までの期間（交流電圧の半波１１のオン期間）を示す。位相調光信号１０は、導通角によって、第１照明器具３０１を制御する制御値を示す。本実施形態において、位相調光信号１０は、導通角によって、第１照明器具３０１から出射される光の光量を制御する制御値を示す。
【００２８】
続いて図３（ａ）を参照して、第１信号変換装置２０１が出力するＤＡＬＩ信号２０について説明する。図３（ａ）は、ＤＡＬＩ信号２０の一例を示す図である。
【００２９】
図３（ａ）に示すように、ＤＡＬＩ信号２０（デジタル信号）は、マンチェスタ符号化された信号である。具体的には、デジタル信号の最小単位であるビットの「１」及び「０」が、電圧レベルの変化（エッジ）によって示される。詳しくは、電圧レベルの立ち上がりエッジが「１」を示し、電圧レベルの立ち下がりエッジが「０」を示す。マスタとスレーブとの間で通信が実行されていない状態では、ＤＡＬＩ信号２０の電圧レベルはＨレベルを維持する。なお、ＤＡＬＩ信号２０のＨレベルとＬレベルとの間の電位差は１６Ｖである。
【００３０】
続いて図３（ｂ）を参照して、ＤＡＬＩプロトコルのフォワードフレームについて説明する。図３（ｂ）は、ＤＡＬＩプロトコルのフォワードフレームの構造を示す図である。なお、以下の説明において、ＤＡＬＩプロトコルのフォワードフレームは「ＤＡＬＩフォワードフレーム」と記載される。
【００３１】
図３（ｂ）に示すように、ＤＡＬＩフォワードフレームは「ａ」〜「ｆ」の６つのパートに分かれている。また、ＤＡＬＩフォワードフレームの合計ビット数は１９ビットである。
【００３２】
ＤＡＬＩフォワードフレームのａパートは、１ビットで構成される。ＤＡＬＩフォワードフレームのａパートは、フレームの先頭を示す。換言すると、ＤＡＬＩフォワードフレームのａパートは、スタートビットである。具体的には、スタートビットは、常に「１」を示す。
【００３３】
ＤＡＬＩフォワードフレームのｂパート〜ｄパートは、合計８ビットで構成されるアドレスバイトである。ＤＡＬＩフォワードフレームは、ｂパート〜ｄパートにより、３つのアドレスモード（ブロードキャスト、グループ、シングル）を指定する。
【００３４】
アドレスバイトのｂパートは、１ビットで構成される。「０」を示すｂパートは、アドレス（データパケットの宛先）が、シングル、すなわち、マスタ（照明制御装置）に接続された複数のスレーブ（照明器具）のうちのいずれか１つに対応することを示す。一方、「１」を示すｂパートは、アドレスが、グループアドレス、又はブロードキャストアドレスであることを示す。すなわち、ｂパートが「１」を示す場合、データパケットは、マスタに接続された複数のスレーブ群のうちのいずれか１つの群（グループ）を構成する全スレーブに一斉に送信されるか、あるいは、マスタに接続された全スレーブに一斉に送信される。
【００３５】
アドレスバイトのｃパートは、６ビットで構成され、アドレスを示す。アドレスバイトがブロードキャストを示す場合、ｃパートの全ビットは「１」を示す。
【００３６】
アドレスバイトのｄパートは１ビットで構成され、コマンドの種類を示す。詳しくは、「０」を示すｄパートは、コマンドが制御コマンドであることを示す。一方、「１」を示すｄパートは、コマンドが、制御コマンドとは異なるコマンドであることを示す。制御コマンドとは異なるコマンドは、例えば、クエリーコマンドである。クエリーコマンドは、所定の問い合わせ内容に対する返答（応答）を要求するコマンドである。
【００３７】
ＤＡＬＩフォワードフレームのｅパートは８ビットで構成されるデータバイトであり、コマンドを指定する。例えば、ＤＡＬＩフォワードフレームのデータバイトが指定する制御コマンドは、以下のコマンド＜１＞〜＜６＞のいずれかを示す。なお、実施形態１では、光量を変更するコマンドが指定される。
＜１＞光量を指定するコマンド
＜２＞光色を指定するコマンド
＜３＞光量を現在値から１段階上げるコマンド
＜４＞光量を現在値から１段階下げるコマンド
＜５＞光色を現在値から１段階上げるコマンド
＜６＞光色を現在値から１段階下げるコマンド
【００３８】
ＤＡＬＩフォワードフレームのｆパートは、２ビットで構成される。ｆパートは、フレームの最後尾を示す。換言すると、ｆパートは、ストップビットである。具体的には、ｆパートは、ハイレベルで固定される。
【００３９】
続いて図４を参照して、第１信号変換装置２０１の構成について説明する。図４は、第１信号変換装置２０１の構成を示す図である。図４に示すように、第１信号変換装置２０１は、２本の信号線５０１ａ、５０１ｂを介して複数の第１照明器具３０１に接続する。詳しくは、複数の第１照明器具３０１は、第１信号変換装置２０１に対して並列に接続する。また、図４に示すように、第１信号変換装置２０１は、信号生成部２１０と、出力部２２０と、受信部２３０と、第１制御部２４１とを備える。
【００４０】
信号生成部２１０は、第１照明器具３０１を制御するＤＡＬＩ信号を生成する。出力部２２０は、複数の第１照明器具３０１に電気的に接続する。出力部２２０は、信号生成部２１０が生成したＤＡＬＩ信号を複数の第１照明器具３０１へ出力する。具体的には、出力部２２０は出力端子２２１及び出力端子２２２を含み、出力端子２２１及び出力端子２２２に２本の信号線５０１ａ、５０１ｂが接続する。本実施形態において、出力端子２２１は高電位側（＋側）の出力端子であり、出力端子２２２は低電位側（−側）の出力端子である。
【００４１】
受信部２３０は、第１照明制御装置１０１から位相調光信号を受信する。本実施形態において、受信部２３０は、第１整流回路２３１とフォトカプラ２３２とを有する。第１整流回路２３１は、第１照明制御装置１０１から入力された位相調光信号を整流する。第１整流回路２３１は、例えば全波整流回路であり得る。全波整流回路は、例えばダイオードブリッジである。フォトカプラ２３２は、第１整流回路２３１の出力に対応する信号を第１制御部２４１に入力する。この結果、第１照明制御装置１０１から出力された位相調光信号に対応する信号が、第１制御部２４１に入力される。
【００４２】
第１制御部２４１は、受信部２３０が受信した位相調光信号に基づいて、信号生成部２１０を制御する。具体的には、第１制御部２４１は、位相調光信号の導通角を判定し、導通角（制御値）に対応するＤＡＬＩ信号を生成するように、信号生成部２１０を制御する。この結果、第１照明器具３０１は、位相調光信号に対応する動作を実行する。本実施形態では、第１照明器具３０１は、位相調光信号に対応する光を発生する。
【００４３】
以下、図４に示す第１信号変換装置２０１について更に説明する。
【００４４】
第１制御部２４１は、典型的には、マイクロコントロールユニット（Ｍｉｃｒｏ−Ｃｏｎｔｒｏｌ  Ｕｎｉｔ）である。なお、第１制御部２４１は、マイクロコントロールユニットに限定されるものではない。例えば、第１制御部２４１は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とによって構成されてもよい。
【００４５】
第１制御部２４１は、位相調光テーブルと、ＤＡＬＩ調光テーブルとを記憶している。位相調光テーブルは、位相調光信号の導通角と光の光量との関係を示す。ＤＡＬＩ調光テーブルは、ＤＡＬＩプロコトルの制御コマンドと光の光量との関係を示す。
【００４６】
第１制御部２４１は、受信部２３０が受信した位相調光信号の導通角を判定すると、位相調光テーブルを参照して、位相調光信号の導通角が示す光の光量（制御値）を特定する。
【００４７】
第１制御部２４１は、位相調光信号の導通角が示す光の光量を特定すると、ＤＡＬＩ調光テーブルを参照して、位相調光信号に基づいて特定した光の光量に対応する制御コマンドを特定する。第１制御部２４１は、特定した制御コマンドを示すＤＡＬＩ信号が生成されるように、信号生成部２１０を制御する。
【００４８】
信号生成部２１０は、外部の交流電源４００に接続しており、交流電源４００から供給された交流電圧に基づいて、ＤＡＬＩ信号を生成する。詳しくは、信号生成部２１０は、第２整流回路２１１と、第１ＤＣ／ＤＣコンバータ２１２ａと、スイッチ素子２１３とを含む。
【００４９】
第２整流回路２１１は、交流電源４００から供給された交流電圧を整流する。第２整流回路２１１は、例えば全波整流回路であり得る。全波整流回路は、例えばダイオードブリッジである。交流電源４００は、典型的には商用交流電源である。交流電源４００が商用交流電源である場合、交流電源４００から供給される交流電圧の周波数は５０Ｈｚ又は６０Ｈｚである。また、交流電源４００から供給される交流電圧の実効値は１００Ｖである。
【００５０】
第１ＤＣ／ＤＣコンバータ２１２ａは、第２整流回路２１１の出力に基づいて直流電圧を生成する。第１ＤＣ／ＤＣコンバータ２１２ａが出力する電圧の電圧値は、第１制御部２４１よって制御される。具体的には、第１制御部２４１は、１６Ｖの直流電圧が生成されるように第１ＤＣ／ＤＣコンバータ２１２ａを制御する。
【００５１】
第１ＤＣ／ＤＣコンバータ２１２ａは、典型的には、絶縁型ＤＣ／ＤＣコンバータである。例えば、第１ＤＣ／ＤＣコンバータ２１２ａは、フライバックコンバータであり得る。第１ＤＣ／ＤＣコンバータ２１２ａがフライバックコンバータである場合、第１制御部２４１は、第１ＤＣ／ＤＣコンバータ２１２ａが有するスイッチ素子の動作（ターンオン及びターンオフ）を制御する。詳しくは、第１制御部２４１は、第１ＤＣ／ＤＣコンバータ２１２ａが１６Ｖの直流電圧を生成するように、第１ＤＣ／ＤＣコンバータ２１２ａが有するスイッチ素子の動作を制御する。
【００５２】
第１ＤＣ／ＤＣコンバータ２１２ａは、高電位側の出力端子と低電位側の出力端子とを有する。第１ＤＣ／ＤＣコンバータ２１２ａの高電位側の出力端子は、出力部２２０の出力端子２２１に電気的に接続する。第１ＤＣ／ＤＣコンバータ２１２ａの低電位側の出力端子は、スイッチ素子２１３を介して、出力部２２０の出力端子２２２に電気的に接続する。第１ＤＣ／ＤＣコンバータ２１２ａが生成した電圧は、スイッチ素子２１３の動作（ターンオン及びターンオフ）によって、ＤＡＬＩ信号に変換される。
【００５３】
スイッチ素子２１３の動作は、第１制御部２４１によって制御される。例えば、スイッチ素子２１３は、ＭＯＳＦＥＴ又はバイポーラトランジスタのような半導体スイッチ素子であり得る。本実施形態において、スイッチ素子２１３はＭＯＳＦＥＴであり、第１制御部２４１は、ＭＯＳＦＥＴのゲート駆動信号を生成して、ＭＯＳＦＥＴのターンオン及びターンオフを制御する。
【００５４】
具体的には、第１制御部２４１は、図３（ａ）を参照して説明したマンチェスタ符号化された信号（ＤＡＬＩ信号）が生成されるように、スイッチ素子２１３のターンオン及びターンオフを制御する。詳しくは、第１制御部２４１は、ＤＡＬＩ調光テーブルを参照して特定した制御コマンドを示すＤＡＬＩ信号が生成されるように、スイッチ素子２１３の動作を制御する。
【００５５】
なお、第１制御部２４１に供給する電力は、第１ＤＣ／ＤＣコンバータ２１２ａの出力に基づいて生成され得る。例えば、第１信号変換装置２０１は、第１ＤＣ／ＤＣコンバータ２１２ａの出力に基づいて第１制御部２４１の電源電圧（例えば、５Ｖの直流電圧）を生成する電源回路を備え得る。この場合、電源回路は、典型的には、リニア電圧レギュレータ又はスイッチングレギュレータである。
【００５６】
以上、実施形態１について説明した。実施形態１によれば、ＤＡＬＩ制御方式（デジタル制御方式）に対応する照明器具を、位相調光信号に基づいて制御することができる。
【００５７】
なお、実施形態１では、２台の照明器具（第１照明器具３０１）が信号変換装置（第１信号変換装置２０１）に接続されたが、信号変換装置に接続される照明器具の台数は特に限定されない。すなわち、１台の照明器具が信号変換装置に接続されてもよいし、３台以上の照明器具が信号変換装置に接続されてもよい。例えば、照明器具がＤＡＬＩ制御方式に対応する場合、一般的には、最大で６４台の照明器具を信号変換装置に接続することが可能である。
【００５８】
［実施形態２］
続いて図５〜図７を参照して本発明の実施形態２について説明する。但し、実施形態１と異なる事項を説明し、実施形態１と同じ事項についての説明は適宜割愛する。実施形態２は、照明制御装置の制御方式が実施形態１と異なる。また、実施形態２は、信号変換装置の制御部による処理が実施形態１と異なる。
【００５９】
図５は、実施形態２に係る照明システム１を示す図である。図５に示すように、実施形態２に係る照明システム１は、第２照明制御装置１０２と、第２信号変換装置２０２と、複数の第１照明器具３０１とを備える。
【００６０】
第２照明制御装置１０２は位相切欠き制御方式に対応し、第１照明器具３０１を制御する位相切欠き信号を出力する。第２信号変換装置２０２は、第２照明制御装置１０２から出力された位相切欠き信号に基づいて、第１照明器具３０１を制御するデジタル信号を生成する。換言すると、第２信号変換装置２０２は、位相切欠き信号をデジタル信号に変換する。
【００６１】
実施形態２に係る第１照明器具３０１は、互いに光色が異なる光を発生する複数色の照明素子を備える。また、第１照明器具３０１の制御方式はＤＡＬＩ制御方式であり、第２信号変換装置２０２は、デジタル信号として、ＤＡＬＩ信号を出力する。
【００６２】
位相切欠き信号は、第１照明器具３０１を制御する制御値を示し、第２信号変換装置２０２は、位相切欠き信号の制御値に対応する制御コマンドを第１照明器具３０１の各々に出力する。この結果、第１照明器具３０１は、位相切欠き信号に対応する動作を実行する。本実施形態において、位相切欠き信号は、第１照明器具３０１の各々から出射される光の光量及び光色（例えば、相関色温度）の少なくとも一方を制御する制御値を示す。したがって、第１照明器具３０１は、位相切欠き信号に対応する光を発生する。
【００６３】
具体的には、位相切欠き信号が光の光量を制御する制御値を示す場合、第２信号変換装置２０２は、光の光量の変更を指令する制御コマンドを第１照明器具３０１の各々に出力する。また、第２信号変換装置２０２は、位相切欠き信号が光の光色を制御する制御値を示す場合、光の光色の変更を指令する制御コマンドを第１照明器具３０１の各々に出力する。また、第２信号変換装置２０２は、位相切欠き信号が光量及び光色を制御する制御値を示す場合、光の光量の変更を指令する制御コマンドと、光の光色の変更を指令する制御コマンドとを第１照明器具３０１の各々に出力する。光色が変更される際には、各色の照明素子から発生する光の光量の割合（混合比率）が変更される。
【００６４】
なお、位相切欠き信号は、光量のみを変更し、光色を変更しない場合において、光量及び光色を制御する制御値を示し得る。この場合、光色の制御値は、第１照明器具３０１から出射されている光の現在の光色と同じ光色を示す。同様に、位相切欠き信号は、光量を変更せず、光色のみを変更する場合において、光量及び光色を制御する制御値を示し得る。この場合、光量の制御値は、第１照明器具３０１から出射されている光の現在の光量と同じ光量を示す。
【００６５】
続いて図６を参照して、第２照明制御装置１０２が出力する位相切欠き信号３０について説明する。図６は、位相切欠き信号３０の一例を示す図である。具体的には、図６は、第２照明制御装置１０２に電源が投入された直後に第２照明制御装置１０２から出力される信号の波形を示す。
【００６６】
図６に示すように、位相切欠き信号３０は、交流電圧の波形の一部を切欠いた信号である。具体的には、第２照明制御装置１０２は、電源が投入されると、まず正弦波状の半波３１を出力する。そして、所定の周期後に、切欠き３２を含む半波である第１半波３１ａを出力する。換言すると、所定の周期後に、第１照明器具３０１を制御する位相切欠き信号３０が出力される。以下、交流電圧の波形が位相切欠き信号３０を示す区間を、「制御信号設定区間」と記載する。
【００６７】
詳しくは、第２照明制御装置１０２は、制御信号設定区間において、切欠き３２を含む半波（第１半波３１ａ）と、切欠き３２を含まない半波である第２半波３１ｂとを出力する。制御信号設定区間において出力される半波の数は予め規定されている。位相切欠き信号３０は、交流電圧の波形の切欠き３２を含む箇所（第１半波３１ａ）と切欠き３２を含まない箇所（第２半波３１ｂ）との組み合わせによって、第１照明器具３０１を制御する制御値を示す。詳しくは、第１半波３１ａと第２半波３１ｂとの組み合わせによって、制御値を示すデータを構成する。例えば、第１半波３１ａは、「１」を示すビットに対応し、第２半波３１ｂは、「０」を示すビットに対応する。なお、第１半波３１ａの導通が開始する位相は一定である。
【００６８】
続いて図７を参照して、第２信号変換装置２０２の構成について説明する。図７は、第２信号変換装置２０２の構成を示す図である。図７に示すように、第２信号変換装置２０２は、信号生成部２１０と、出力部２２０と、受信部２３０と、第２制御部２４２とを備える。
【００６９】
実施形態２において、受信部２３０は、第２照明制御装置１０２から出力された位相切欠き信号を受信する。受信部２３０は、位相切欠き信号を受信すると、位相切欠き信号に対応する信号を第２制御部２４２に入力する。
【００７０】
第２制御部２４２は、受信部２３０が受信した位相切欠き信号に基づいて、信号生成部２１０を制御する。具体的には、第２制御部２４２は、受信部２３０から入力される信号に基づいて、図６を参照して説明した第１半波３１ａと第２半波３１ｂとの組み合わせのパターンを判定し、第１半波３１ａと第２半波３１ｂとの組み合わせのパターンに対応するＤＡＬＩ信号を生成するように、信号生成部２１０を制御する。この結果、第１照明器具３０１は、位相切欠き信号に対応する動作を実行する。本実施形態では、第１照明器具３０１は、位相切欠き信号に対応する光を発生する。なお、以下の説明において、第１半波３１ａと第２半波３１ｂとの組み合わせのパターンを「切欠きパターン」と記載する場合がある。
【００７１】
以下、第２制御部２４２について更に説明する。第２制御部２４２は、位相切欠き調光テーブルと、位相切欠き調色テーブルと、ＤＡＬＩ調光テーブルとＤＡＬＩ調色テーブルとを記憶している。位相切欠き調光テーブルは、切欠きパターンと光の光量との関係を示す。位相切欠き調色テーブルは、切欠きパターンと光の光色との関係を示す。ＤＡＬＩ調光テーブルは、ＤＡＬＩプロコトルの制御コマンドと光の光量との関係を示す。ＤＡＬＩ調色テーブルは、ＤＡＬＩプロコトルの制御コマンドと光の光色との関係を示す。
【００７２】
第２制御部２４２は、受信部２３０が受信した位相切欠き信号が示す切欠きパターンを判定すると、位相切欠き調光テーブル及び位相切欠き調色テーブルを参照して、位相切欠き信号の切欠きパターンが示す制御値を特定する。制御値は、光量及び光色の少なくとも一方の制御値を示す。
【００７３】
第２制御部２４２は、位相切欠き信号の切欠きパターンが示す制御値を特定すると、ＤＡＬＩ調光テーブル及びＤＡＬＩ調色テーブルを参照して、位相切欠き信号に基づいて特定した制御値に対応する制御コマンドを特定する。例えば、位相切欠き信号の切欠きパターンが光量及び光色の制御値を示す場合、第２制御部２４２は、光量の制御値に対応するコマンドと、光量の制御値に対応するコマンドとを特定する。
【００７４】
第２制御部２４２は、特定した制御コマンドを示すＤＡＬＩ信号が生成されるように、信号生成部２１０を制御する。例えば、位相切欠き信号の切欠きパターンが光量及び光色の制御値を示す場合、第２制御部２４２は、光量を制御するコマンドを示すＤＡＬＩ信号と、光色を制御するコマンドを示すＤＡＬＩ信号とを生成するように、信号生成部２１０を制御する。
【００７５】
なお、第２制御部２４２に供給する電力は、実施形態１において説明したように、第１ＤＣ／ＤＣコンバータ２１２ａの出力に基づいて生成され得る。あるいは、第２制御部２４２に供給する電力は、受信部２３０が有する第１整流回路２３１の出力に基づいて生成され得る。例えば、第２信号変換装置２０２は、第１整流回路２３１の出力に基づいて第２制御部２４２の電源電圧（例えば、５Ｖの直流電圧）を生成する電源回路を備え得る。この場合、電源回路は、典型的には、絶縁型ＤＣ／ＤＣコンバータである。
【００７６】
以上、実施形態２について説明した。実施形態２によれば、ＤＡＬＩ制御方式（デジタル制御方式）に対応する照明器具を、位相切欠き信号に基づいて制御することができる。
【００７７】
なお、本実施形態では、第１照明器具３０１から出射される光の光量及び光色を制御したが、第１照明器具３０１から出射される光の光量及び光色の一方のみを制御してもよい。また、本実施形態では、第１照明器具３０１が複数色の照明素子を備えたが、第１照明器具３０１は単色の照明素子のみを備えてもよい。
【００７８】
［実施形態３］
続いて図８〜図１０を参照して本発明の実施形態３について説明する。但し、実施形態１及び２と異なる事項を説明し、実施形態１及び２と同じ事項についての説明は適宜割愛する。実施形態３は、照明器具の制御方式が実施形態１及び２と異なる。また、実施形態３は、信号変換装置の制御部による処理が実施形態１及び２と異なる。
【００７９】
図８は、実施形態３に係る照明システム１を示す図である。図８に示すように、実施形態３に係る照明システム１は、第２照明制御装置１０２と、第３信号変換装置２０３と、複数の第２照明器具３０２とを備える。
【００８０】
第２照明器具３０２の制御方式は、ＰＷＭ制御方式（信号線式）である。第２照明制御装置１０２は、第２照明器具３０２を制御する位相切欠き信号を出力する。第３信号変換装置２０３は、第２照明制御装置１０２から出力された位相切欠き信号に基づいて、第２照明器具３０２を制御するＰＷＭ信号（パルス幅変調信号）を生成する。換言すると、第３信号変換装置２０３は、位相切欠き信号をＰＷＭ信号に変換する。ＰＷＭ信号は、デューティ比によって、第２照明器具３０２を制御する制御値を示す。
【００８１】
位相切欠き信号は、切欠きパターンによって、第２照明器具３０２を制御する制御値を示す。第３信号変換装置２０３は、位相切欠き信号の制御値に対応するＰＷＭ信号を第２照明器具３０２の各々に出力する。具体的には、ＰＷＭ信号は、位相切欠き信号の切欠きパターンに対応するデューティ比を示す。この結果、第２照明器具３０２は、位相切欠き信号に対応する動作を実行する。本実施形態において、位相切欠き信号は、第２照明器具３０２の各々から出射される光の光量を制御する制御値（切欠きパターン）を示す。したがって、第２照明器具３０２は、位相切欠き信号に対応する光を発生する。
【００８２】
続いて図９（ａ）及び図９（ｂ）を参照して、第３信号変換装置２０３が出力するＰＷＭ信号４０について説明する。図９（ａ）及び図９（ｂ）は、ＰＷＭ信号４０の一例を示す図である。
【００８３】
図９（ａ）及び図９（ｂ）に示すように、ＰＷＭ信号４０は、周期Ｔが一定であって、パルス幅τが可変の信号である。なお、ＰＷＭ信号４０の振幅は一定であり、ＰＷＭ信号４０のＨレベルとＬレベルとの間の電位差は、例えば１３Ｖである。第３信号変換装置２０３は、ＰＷＭ信号４０のデューティ比Ｄ（＝τ／Ｔ）を変化させることにより、第２照明器具３０２を制御する。本実施形態では、ＰＷＭ信号４０のデューティ比Ｄが変化することにより、第２照明器具３０２の各々から出射される光の光量が変化する。
【００８４】
続いて図１０を参照して、第３信号変換装置２０３の構成について説明する。図１０は、第３信号変換装置２０３の構成を示す図である。図１０に示すように、第３信号変換装置２０３は、信号生成部２１０と、出力部２２０と、受信部２３０と、第３制御部２４３とを備える。
【００８５】
信号生成部２１０は、第２照明器具３０２を制御するＰＷＭ信号を生成する。出力部２２０は、信号生成部２１０が生成したＰＷＭ信号を複数の第２照明器具３０２へ出力する。なお、本実施形態において、出力端子２２１は高電位側（＋側）の出力端子であり、出力端子２２２は低電位側（−側）の出力端子である。
【００８６】
第３制御部２４３は、受信部２３０が受信した位相切欠き信号に基づいて、信号生成部２１０を制御する。具体的には、第３制御部２４３は、受信部２３０から入力される信号に基づいて、位相切欠き信号の切欠きパターンを判定し、位相切欠き信号の切欠きパターンに対応するＰＷＭ信号を生成するように、信号生成部２１０を制御する。この結果、第２照明器具３０２は、位相切欠き信号に対応する動作を実行する。本実施形態では、第２照明器具３０２は、位相切欠き信号に対応する光を発生する。
【００８７】
詳しくは、第３制御部２４３は、位相切欠き調光テーブルと、ＰＷＭ調光テーブルとを記憶している。ＰＷＭ調光テーブルは、ＰＷＭ信号のデューティ比と光の光量との関係を示す。
【００８８】
第３制御部２４３は、受信部２３０が受信した位相切欠き信号が示す切欠きパターンを判定すると、位相切欠き調光テーブルを参照して、切欠きパターンが示す光の光量（制御値）を特定する。
【００８９】
第３制御部２４３は、切欠きパターンが示す光の光量を特定すると、ＰＷＭ調光テーブルを参照して、位相切欠き信号に基づいて特定した光の光量に対応するデューティ比を特定する。第３制御部２４３は、特定したデューティ比を示すＰＷＭ信号が生成されるように、信号生成部２１０を制御する。
【００９０】
信号生成部２１０は、交流電源４００から供給された交流電圧に基づいて、ＰＷＭ信号を生成する。詳しくは、信号生成部２１０は、第２整流回路２１１と、第２ＤＣ／ＤＣコンバータ２１２ｂと、スイッチ素子２１３とを含む。
【００９１】
第２ＤＣ／ＤＣコンバータ２１２ｂは、第２整流回路２１１の出力に基づいて直流電圧を生成する。第２ＤＣ／ＤＣコンバータ２１２ｂが出力する電圧の電圧値は、第３制御部２４３よって制御される。具体的には、第３制御部２４３は、１３Ｖの直流電圧が生成されるように第２ＤＣ／ＤＣコンバータ２１２ｂを制御する。第２ＤＣ／ＤＣコンバータ２１２ｂは、典型的には、絶縁型ＤＣ／ＤＣコンバータである。例えば、第２ＤＣ／ＤＣコンバータ２１２ｂは、フライバックコンバータであり得る。
【００９２】
第２ＤＣ／ＤＣコンバータ２１２ｂは、高電位側の出力端子と低電位側の出力端子とを有する。第２ＤＣ／ＤＣコンバータ２１２ｂの高電位側の出力端子は、出力部２２０の出力端子２２１に電気的に接続する。第２ＤＣ／ＤＣコンバータ２１２ｂの低電位側の出力端子は、スイッチ素子２１３を介して、出力部２２０の出力端子２２２に電気的に接続する。
【００９３】
第２ＤＣ／ＤＣコンバータ２１２ｂが生成した電圧は、スイッチ素子２１３の動作（ターンオン及びターンオフ）によって、ＰＷＭ信号に変換される。詳しくは、第３制御部２４３が、ＰＷＭ信号を生成するようにスイッチ素子２１３のターンオン及びターンオフを制御する。具体的には、第３制御部２４３は、ＰＷＭ調光テーブルを参照して特定したデューティ比を示すＰＷＭ信号が生成されるように、スイッチ素子２１３の動作を制御する。
【００９４】
以上、実施形態３について説明した。実施形態３によれば、ＰＷＭ制御方式（信号線式）に対応する照明器具を、位相切欠き信号に基づいて制御することができる。
【００９５】
［実施形態４］
続いて図１１〜図１３を参照して本発明の実施形態４について説明する。但し、実施形態１〜３と異なる事項を説明し、実施形態１〜３と同じ事項についての説明は適宜割愛する。実施形態４は、信号変換装置の制御部による処理が実施形態１〜３と異なる。
【００９６】
図１１は、実施形態４に係る照明システム１を示す図である。図１に示すように、実施形態４に係る照明システム１は、第３照明制御装置１０３と、第４信号変換装置２０４と、複数の第１照明器具３０１とを備える。
【００９７】
第３照明制御装置１０３は、位相制御方式又は位相切欠き制御方式に対応する。したがって、第３照明制御装置１０３は、第１照明器具３０１を制御する位相調光信号又は位相切欠き信号を出力する。本実施形態では、第３照明制御装置１０３は、第１照明器具３０１の各々から出射される光を制御する位相調光信号又は位相切欠き信号を出力する。
【００９８】
第４信号変換装置２０４は、第３照明制御装置１０３から出力された位相調光信号又は位相切欠き信号に基づいて、第１照明器具３０１を制御するデジタル信号を生成する。換言すると、第４信号変換装置２０４は、位相調光信号又は位相切欠き信号をデジタル信号に変換する。具体的には、第１照明器具３０１の制御方式はＤＡＬＩ制御方式であり、第４信号変換装置２０４は、デジタル信号として、ＤＡＬＩ信号を出力する。本実施形態では、第４信号変換装置２０４は、第１照明器具３０１の各々から出射される光を制御するＤＡＬＩ信号（デジタル信号）を生成する。
【００９９】
第４信号変換装置２０４は、第３照明制御装置１０３から出力される信号が位相調光信号と位相切欠き信号とのうちのいずれであるかを判別（判定）する第１判別処理を実行する。以下、図２、図６、及び図１２を参照して、第４信号変換装置２０４が実行する第１判別処理について説明する。
【０１００】
図１２は、第１判定処理を示すフローチャートである。第４信号変換装置２０４は、第３照明制御装置１０３の電源投入時に第１判別処理を開始する。
【０１０１】
まず、第４信号変換装置２０４は、第３照明制御装置１０３から入力された信号の波形が正弦波を含むか否かを判定する（ステップ１２０１）。第３照明制御装置１０３は、位相制御方式に対応する場合、位相調光信号を出力する。図２を参照して説明したように、位相制御方式に対応する照明制御装置が電源投入直後に出力する信号は、正弦波状の半波を含まない。一方、第３照明制御装置１０３は、位相切欠き制御方式に対応する場合、位相切欠き信号を出力する。図６を参照して説明したように、位相切欠き制御方式に対応する照明制御装置が電源投入直後に出力する信号は、正弦波状の半波（半波３１）を含む。
【０１０２】
第４信号変換装置２０４は、第３照明制御装置１０３から入力された信号の波形が正弦波を含むと判定した場合（ステップ１２０１のＹｅｓ）、第３照明制御装置１０３から出力される信号が位相切欠き信号であると判定して（ステップ１２０２）、第１判別処理を終了する。換言すると、第４信号変換装置２０４は、第３照明制御装置１０３の制御方式が位相切欠き制御方式であると判定する。
【０１０３】
一方、第４信号変換装置２０４は、第３照明制御装置１０３から入力された信号の波形が正弦波を含まないと判定した場合（ステップ１２０１のＮｏ）、第３照明制御装置１０３から出力される信号が位相調光信号であると判定して（ステップ１２０３）、第１判別処理を終了する。換言すると、第４信号変換装置２０４は、第３照明制御装置１０３の制御方式が位相制御方式であると判定する。
【０１０４】
第４信号変換装置２０４は、図１２を参照して説明した第１判別処理による判別結果（判定結果）に基づき、第３照明制御装置１０３から入力される信号をＤＡＬＩ信号に変換する。詳しくは、第４信号変換装置２０４は、第３照明制御装置１０３から出力される信号が位相切欠き信号であると判定した場合、位相切欠き信号をＤＡＬＩ信号に変換する処理を実行する。また、第４信号変換装置２０４は、第３照明制御装置１０３から出力される信号が位相調光信号であると判定した場合、位相調光信号をＤＡＬＩ信号に変換する処理を実行する。
【０１０５】
続いて図１３を参照して、第４信号変換装置２０４の構成について説明する。図１３は、第４信号変換装置２０４の構成を示す図である。図１３に示すように、第４信号変換装置２０４は、信号生成部２１０と、出力部２２０と、受信部２３０と、第４制御部２４４とを備える。
【０１０６】
第４制御部２４４は、位相調光テーブル、位相切欠き調光テーブル、位相切欠き調色テーブル、ＤＡＬＩ調光テーブル、及びＤＡＬＩ調色テーブルを記憶する。また、第４制御部２４４は、図１２を参照して説明した第１判別処理を実行する。
【０１０７】
第４制御部２４４は、第３照明制御装置１０３から出力される信号が位相切欠き信号であると判定した場合、位相切欠き調光テーブル、位相切欠き調色テーブル、ＤＡＬＩ調光テーブル、及びＤＡＬＩ調色テーブルを参照して、信号生成部２１０を制御する。この結果、信号生成部２１０は、第３照明制御装置１０３から出力される位相切欠き信号に対応するＤＡＬＩ信号を生成し、第１照明器具３０１は、位相切欠き信号に対応する光を発生する。
【０１０８】
一方、第４制御部２４４は、第３照明制御装置１０３から出力される信号が位相調光信号であると判定した場合、位相調光テーブルと、ＤＡＬＩ調光テーブルとを参照して、信号生成部２１０を制御する。この結果、信号生成部２１０は、第３照明制御装置１０３から出力される位相調光信号に対応するＤＡＬＩ信号を生成し、第１照明器具３０１は、位相調光信号に対応する光を発生する。
【０１０９】
以上、実施形態４について説明した。実施形態４によれば、ＤＡＬＩ制御方式（デジタル制御方式）に対応する照明器具を、位相調光信号又は位相切欠き信号に基づいて制御することができる。
【０１１０】
また、実施形態４によれば、照明制御装置の制御方式が位相制御方式と位相切欠き制御方式とのいずれであるかを自動判別することができる。したがって、位相調光信号をＤＡＬＩ信号に変換するモードと、位相切欠き信号をＤＡＬＩ信号に変換するモードとの間で信号変換装置のモードを切り換える手動式のスイッチを省略できる。
【０１１１】
また、信号変換装置は、照明器具がスポットライトである場合、一般的には、天井に敷設されたダクトレールに配置される。このため、信号変換装置のモードを手動で切り換える作業は、高所での作業となる。また、照明器具がダウンライトである場合、信号変換装置は、一般的には天井裏に配置される。このため、信号変換装置のモードを手動で切り換えるには、照明器具（ダウンライト）を天井から取り外し、天井の開口を介して作業を行う必要がある。これに対し、実施形態４によれば、信号変換装置のモードを自動で切り換えることができ、信号変換装置のモードを手動で切り換える作業を省略できる。
【０１１２】
なお、第４信号変換装置２０４は、モード切り換え用のスイッチを備えてもよい。モード切り換え用のスイッチは、例えば、ＤＩＰ（Ｄｕａｌ  ｉｎ−ｌｉｎｅ  Ｐａｃｋａｇｅ）スイッチである。第４信号変換装置２０４がモード切り換え用のスイッチを備える場合、第１判別処理は省略されてもよい。
【０１１３】
また、本実施形態では、位相調光信号又は位相切欠き信号をＤＡＬＩ信号に変換したが、位相調光信号又は位相切欠き信号をＰＷＭ信号に変換してもよい。換言すると、照明システム１は、第１照明器具３０１に替えて、実施形態２において説明した第２照明器具３０２を備えてもよい。
【０１１４】
位相調光信号又は位相切欠き信号をＰＷＭ信号に変換する場合、信号変換装置の制御部は、例えば、位相調光テーブル、位相切欠き調光テーブル、及びＰＷＭ調光テーブルを記憶する。具体的には、信号変換装置の制御部は、位相調光信号をＰＷＭ信号に変換する場合、位相調光テーブルを参照して位相調光信号の導通角が示す光の光量（制御値）を特定する。次に、信号変換装置の制御部は、ＰＷＭ調光テーブルを参照して、位相調光信号に基づいて特定した光の光量に対応するデューティ比を特定する。そして、信号変換装置の制御部は、特定したデューティ比を示すＰＷＭ信号が生成されるように、信号生成部２１０を制御する。同様に、信号変換装置の制御部は、位相切欠き信号をＰＷＭ信号に変換する場合、位相切欠き調光テーブル、及びＰＷＭ調光テーブルを参照して、位相切欠き信号の切欠きパターンに対応するデューティ比を示すＰＷＭ信号を生成するように、信号生成部２１０を制御する。
【０１１５】
［実施形態５］
続いて図１４〜図１７を参照して本発明の実施形態５について説明する。但し、実施形態１〜４と異なる事項を説明し、実施形態１〜４と同じ事項についての説明は適宜割愛する。実施形態５は、信号変換装置の制御部による処理が実施形態１〜４と異なる。
【０１１６】
図１４は、実施形態５に係る照明システム１を示す図である。図１４に示すように、実施形態５に係る照明システム１は、第３照明制御装置１０３と、第５信号変換装置２０５と、複数の第３照明器具３０３とを備える。
【０１１７】
第３照明器具３０３は、ＤＡＬＩ制御方式、又はＰＷＭ制御方式に対応する。ＤＡＬＩ制御方式に対応する第３照明器具３０３は、マスタ（第５信号変換装置２０５）に対してＤＡＬＩ信号を送信することができる。具体的には、ＤＡＬＩ制御方式に対応する第３照明器具３０３は、ＤＡＬＩプロトコルのバックワードフレームに対応するＤＡＬＩ信号（データパケット）を生成することができる。例えば、マスタから出力されたデータパケットが、現在のステータス（光量及び光色）を問い合わせるクエリーコマンドを示す場合、スレーブとなった第３照明器具３０３は、現在のステータス（光量及び光色）を示すデータパケットをマスタに対して送信する。なお、スレーブとなった第３照明器具３０３が出力するＤＡＬＩ信号も、図３（ａ）を参照して説明したマンチェスタ符号化された信号である。
【０１１８】
第５信号変換装置２０５は、図１２を参照して説明した第１判別処理に加えて、第３照明器具３０３がＤＡＬＩ制御方式とＰＷＭ制御方式とのうちのいずれに対応するかを判別（判定）する第２判別処理を実行する。以下、図１５を参照して、第５信号変換装置２０５が実行する第２判別処理について説明する。
【０１１９】
図１５は、第２判別処理を示すフローチャートである。第５信号変換装置２０５は、第３照明器具３０３と接続された状態で最初に起動する際（初期起動時）に、第２判別処理を開始する。
【０１２０】
まず、第５信号変換装置２０５は、第３照明器具３０３に対し、所定の問い合わせに対する返答（応答）を要求するＤＡＬＩ信号を送信する（ステップＳ１５０１）。換言すると、第５信号変換装置２０５は、クエリーコマンドを示すＤＡＬＩ信号を送信する。例えば、第５信号変換装置２０５は、第３照明器具３０３に対し、現在のステータス（光量及び光色）を問い合わせて、返答（応答）を要求する。
【０１２１】
次に、第５信号変換装置２０５は、応答を要求するＤＡＬＩ信号を送信してから一定期間（例えば、１００ｍｓｅｃ）以内に、問い合わせに対する返答（応答）を示すＤＡＬＩ信号を検出（受信）したか否かを判定する（ステップＳ１５０２）。
【０１２２】
第３照明器具３０３がＤＡＬＩ制御方式に対応する場合、第３照明器具３０３は、問い合わせに対する返答を示すＤＡＬＩ信号を送信する。第５信号変換装置２０５は、問い合わせに対する返答を検出した場合（ステップＳ１５０２のＹｅｓ）、第３照明器具３０３がＤＡＬＩ制御方式に対応していると判定して（ステップＳ１５０３）、第２判別処理を終了する。
【０１２３】
第３照明器具３０３がＤＡＬＩ制御方式に対応していない場合、第３照明器具３０３は、問い合わせに対して応答（返答）しない。第５信号変換装置２０５は、応答を示すＤＡＬＩ信号を検出しない場合（ステップＳ１５０２のＮｏ）、第３照明器具３０３がＰＷＭ制御方式に対応していると判定して（ステップＳ１５０４）、第２判別処理を終了する。
【０１２４】
第５信号変換装置２０５は、図１５を参照して説明した第２判別処理による判別結果（判定結果）に応じて、第３照明制御装置１０３から入力された信号をＤＡＬＩ信号又はＰＷＭ信号に変換する。具体的には、第５信号変換装置２０５は、第３照明器具３０３がＤＡＬＩ制御方式に対応していると判定した場合（ステップＳ１５０３）、ＤＡＬＩ信号を生成して、第３照明器具３０３を制御する。また、第５信号変換装置２０５は、第３照明器具３０３がＰＷＭ制御方式に対応していると判定した場合（ステップＳ１５０４）、ＰＷＭ信号を生成して、第３照明器具３０３を制御する。本実施形態では、第５信号変換装置２０５は、ＤＡＬＩ信号又はＰＷＭ信号を生成して、第３照明器具３０３から出射される光を制御する。
【０１２５】
続いて図１６を参照して、ＤＡＬＩプロトコルのバックワードフレームについて説明する。図１６は、ＤＡＬＩプロトコルのバックワードフレームの構造を示す図である。なお、以下の説明において、ＤＡＬＩプロトコルのバックワードフレームは「ＤＡＬＩバックワードフレーム」と記載される。
【０１２６】
図１６に示すように、ＤＡＬＩバックワードフレームは「ａ」〜「ｃ」の３つのパートに分かれている。また、ＤＡＬＩバックワードフレームの合計ビット数は１１ビットである。
【０１２７】
ＤＡＬＩバックワードフレームのａパートは、１ビットで構成される。ＤＡＬＩバックワードフレームのａパートは、フレームの先頭を示す。換言すると、ＤＡＬＩバックワードフレームのａパートは、スタートビットである。具体的には、スタートビットは、常に「１」を示す。
【０１２８】
ＤＡＬＩバックワードフレームのｂパートは８ビットで構成されるデータバイトであり、クエリーコマンドに対する応答（返答）を示す。ＤＡＬＩバックワードフレームのデータバイトは、例えば、スレーブ（照明器具）から現在出射されている光の光量及び光色を示す。
【０１２９】
ＤＡＬＩバックワードフレームのｃパートは、２ビットで構成される。ＤＡＬＩバックワードフレームのｃパートは、フレームの最後尾を示す。換言すると、ＤＡＬＩバックワードフレームのｃパートは、ストップビットである。具体的には、ストップビットは、ハイレベルで固定される。
【０１３０】
続いて図１７を参照して、第５信号変換装置２０５の構成について説明する。図１７は、第５信号変換装置２０５の構成を示す図である。図１７に示すように、第５信号変換装置２０５は、信号生成部２１０と、出力部２２０と、受信部２３０と、第５制御部２４５と、信号検出部２５０とを備える。
【０１３１】
信号生成部２１０は、第３照明器具３０３を制御するＤＡＬＩ信号又はＰＷＭ信号を生成する。本実施形態では、信号生成部２１０は、第３照明器具３０３の各々から出射される光を制御するＤＡＬＩ信号又はＰＷＭ信号を生成する。出力部２２０は、信号生成部２１０が生成したＤＡＬＩ信号又はＰＷＭ信号を複数の第３照明器具３０３へ出力する。
【０１３２】
第５制御部２４５は、位相調光テーブルと、位相切欠き調光テーブルと、位相切欠き調色テーブルと、ＤＡＬＩ調光テーブルと、ＤＡＬＩ調色テーブルと、ＰＷＭ調光テーブルとを記憶する。また、第５制御部２４５は、図１２を参照して説明した第１判別処理、及び図１５を参照して説明した第２判別処理を実行する。
【０１３３】
第５制御部２４５は、信号生成部２１０を制御する第１モード〜第４モードを有する。第１モードは、位相調光信号をＤＡＬＩ信号に変換するモードである。第２モードは、位相切欠き信号をＤＡＬＩ信号に変換するモードである。第３モードは、位相調光信号をＰＷＭ信号に変換するモードである。第４モードは、位相切欠き信号をＰＷＭ信号に変換するモードである。第５制御部２４５の制御モードは、図１２を参照して説明した第１判別処理の結果、及び図１５を参照して説明した第２判別処理の結果に応じて、第１モード〜第４モードのうちから設定される。
【０１３４】
第５制御部２４５は、第１モードに設定されると、位相調光テーブルとＤＡＬＩ調光テーブルとを参照して、信号生成部２１０を制御する。この結果、信号生成部２１０は、第３照明制御装置１０３から出力される位相調光信号に対応するＤＡＬＩ信号を生成し、第３照明器具３０３は、位相調光信号に対応する光を発生する。
【０１３５】
第５制御部２４５は、第２モードに設定されると、位相切欠き調光テーブルと、位相切欠き調色テーブルと、ＤＡＬＩ調光テーブルと、ＤＡＬＩ調色テーブルとを参照して、信号生成部２１０を制御する。この結果、信号生成部２１０は、第３照明制御装置１０３から出力される位相切欠き信号に対応するＤＡＬＩ信号を生成し、第３照明器具３０３は、位相切欠き信号に対応する光を発生する。
【０１３６】
第５制御部２４５は、第３モードに設定されると、位相調光テーブルとＰＷＭ調光テーブルとを参照して、信号生成部２１０を制御する。この結果、信号生成部２１０は、第３照明制御装置１０３から出力される位相調光信号に対応するＰＷＭ信号を生成し、第３照明器具３０３は、位相調光信号に対応する光を発生する。
【０１３７】
第５制御部２４５は、第４モードに設定されると、位相切欠き調光テーブルとＰＷＭ調光テーブルとを参照して、信号生成部２１０を制御する。この結果、信号生成部２１０は、第３照明制御装置１０３から出力される位相切欠き信号に対応するＰＷＭ信号を生成し、第３照明器具３０３は、位相切欠き信号に対応する光を発生する。
【０１３８】
信号生成部２１０は、第２整流回路２１１と、第３ＤＣ／ＤＣコンバータ２１２ｃと、スイッチ素子２１３とを含む。第３ＤＣ／ＤＣコンバータ２１２ｃは、第２整流回路２１１の出力に基づいて直流電圧を生成する。第３ＤＣ／ＤＣコンバータ２１２ｃが出力する電圧の電圧値は、第５制御部２４５よって制御される。具体的には、第５制御部２４５は、制御モードが第１モード又は第２モードに設定されている場合、１６Ｖの直流電圧が生成されるように第３ＤＣ／ＤＣコンバータ２１２ｃ制御する。また、第５制御部２４５は、制御モードが第３モード又は第４モードに設定されている場合、１３Ｖの直流電圧が生成されるように第３ＤＣ／ＤＣコンバータ２１２ｃ制御する。第３ＤＣ／ＤＣコンバータ２１２ｃは、典型的には、絶縁型ＤＣ／ＤＣコンバータである。例えば、第３ＤＣ／ＤＣコンバータ２１２ｃは、フライバックコンバータであり得る。
【０１３９】
続いて、信号検出部２５０について説明する。信号検出部２５０は、第３照明器具３０３から信号線５０１ａ及び５０１ｂを介して送信された信号を検出（受信）する。具体的には、信号検出部２５０は、第３照明器具３０３がＤＡＬＩ制御方式に対応する場合に、第３照明器具３０３から送信されたＤＡＬＩ信号（ＤＡＬＩバックワードフレームに対応するデジタル信号）を検出する。信号検出部２５０は、第３照明器具３０３から送信された信号を検出すると、その検出した信号に対応する信号を生成する。信号検出部２５０が生成した信号は、第５制御部２４５に入力される。一方、第３照明器具３０３がＰＷＭ制御方式に対応する場合には、信号検出部２５０から第５制御部２４５へ信号が入力されない。なお、本実施形態において、信号検出部２５０は、フォトカプラ２５１を含む。
【０１４０】
続いて、第５制御部２４５が実行する第２判別処理について説明する。第５制御部２４５は、図１５を参照して説明した第２判別処理を実行する。具体的には、第５制御部２４５は、第５信号変換装置２０５の初期起動時に、クエリーコマンドを示すＤＡＬＩ信号が生成されるように信号生成部２１０（スイッチ素子２１３）を動作させる。本実施形態において、第２判別処理時に信号生成部２１０が生成するＤＡＬＩ信号のアドレスバイトは、ブロードキャストを示す。この結果、クエリーコマンドを示すＤＡＬＩ信号が、第３照明器具３０３に対して一斉に送信される。
【０１４１】
次に、第５制御部２４５は、クエリーコマンドを示すＤＡＬＩ信号を送信してから一定期間以内に、信号検出部２５０から信号が入力されたか否かを判定する。換言すると、第５制御部２４５は、問い合わせに対する返答（応答）を示す信号を信号検出部２５０が検出したか否かを判定する。第５制御部２４５は、信号検出部２５０が信号を検出した場合、第３照明器具３０３がＤＡＬＩ制御方式に対応していると判定し、信号検出部２５０が信号を検出しなかった場合、第３照明器具３０３がＰＷＭ制御方式に対応していると判定する。
【０１４２】
なお、第５制御部２４５は、エラー応答を検出した場合にも、第３照明器具３０３がＤＡＬＩ制御方式に対応していると判定する。エラー応答は、例えば、第３照明器具３０３から出力されたＤＡＬＩ信号が信号検出部２５０に同時に入力する場合に発生する。
【０１４３】
以上、実施形態５について説明した。実施形態５によれば、ＤＡＬＩ制御方式（デジタル制御方式）に対応する照明器具を、位相調光信号又は位相切欠き信号に基づいて制御することができる。また、ＰＷＭ制御方式（信号線式）に対応する照明器具を、位相調光信号又は位相切欠き信号に基づいて制御することができる。
【０１４４】
更に、実施形態５によれば、照明制御装置の制御方式が位相制御方式と位相切欠き制御方式とのいずれであるかを自動判別することができる。また、照明器具の制御方式がＤＡＬＩ制御方式とＰＷＭ制御方式のいずれであるかを自動判別することができる。したがって、信号変換装置の制御モードを４つのモードの間で切り替える手動式のスイッチを省略できる。よって、信号変換装置のモードを手動で切り換える作業を省略できる。
【０１４５】
なお、第５信号変換装置２０５は、モード切り換え用のスイッチを備えてもよい。モード切り換え用のスイッチは、例えば、ＤＩＰスイッチである。第５信号変換装置２０５がモード切り換え用のスイッチを備える場合、第１判別処理及び第２判別処理は省略され得る。
【０１４６】
また、本実施形態において、照明システム１は第３照明制御装置１０３を備えたが、照明システム１は、第３照明制御装置１０３に替えて、実施形態１において説明した第１照明制御装置１０１、又は実施形態２において説明した第２照明制御装置１０２を備えてもよい。照明システム１が第１照明制御装置１０１又は第２照明制御装置１０２を備える場合、第１判別処理は省略される。
【０１４７】
［実施形態６］
続いて図１８及び図１９を参照して本発明の実施形態６について説明する。但し、実施形態１〜５と異なる事項を説明し、実施形態１〜５と同じ事項についての説明は適宜割愛する。実施形態６は、信号変換装置の構成が実施形態１〜５と異なる。
【０１４８】
図１８は、実施形態６に係る照明システム１を示す図である。図１８に示すように、実施形態６に係る照明システム１は、第１照明制御装置１０１と、第２照明制御装置１０２と、第６信号変換装置２０６と、第１照明器具群３１１と、第２照明器具群３１２とを備える。第１照明器具群３１１及び第２照明器具群３１２は共に、複数の第１照明器具３０１を含む。
【０１４９】
第６信号変換装置２０６は、第１照明制御装置１０１から入力される位相調光信号に基づいて、第１照明器具群３１１を制御する。具体的には、第６信号変換装置２０６は、第１照明制御装置１０１から入力される位相調光信号に基づいて、ＤＡＬＩ信号を生成する。換言すると、第６信号変換装置２０６は、第１照明制御装置１０１から入力される位相調光信号をＤＡＬＩ信号に変換する。位相調光信号に対応するＤＡＬＩ信号は、第１照明器具群３１１の各第１照明器具３０１に入力される。なお、本実施形態において、第６信号変換装置２０６は、第１照明制御装置１０１から入力される位相調光信号に基づいて、第１照明器具群３１１から出射される光を制御する。
【０１５０】
また、第６信号変換装置２０６は、第２照明制御装置１０２から入力される位相切欠き信号に基づいて、第２照明器具群３１２を制御する。具体的には、第６信号変換装置２０６は、第２照明制御装置１０２から入力される位相切欠き信号に基づいて、ＤＡＬＩ信号を生成する。換言すると、第６信号変換装置２０６は、第２照明制御装置１０２から入力される位相切欠き信号をＤＡＬＩ信号に変換する。位相切欠き信号に対応するＤＡＬＩ信号は、第２照明器具群３１２の各第１照明器具３０１に入力される。なお、本実施形態において、第６信号変換装置２０６は、第２照明制御装置１０２から入力される位相切欠き信号に基づいて、第２照明器具群３１２から出射される光を制御する。
【０１５１】
図１９は、第６信号変換装置２０６の構成を示す図である。図１９に示すように、第６信号変換装置２０６は、２本の信号線５１１ａ、５１１ｂを介して、第１照明器具群３１１の各第１照明器具３０１に接続する。詳しくは、第１照明器具群３１１の各第１照明器具３０１は、第６信号変換装置２０６に対して並列に接続する。同様に、第６信号変換装置２０６は、２本の信号線５１２ａ、５１２ｂを介して、第２照明器具群３１２の各第１照明器具３０１に接続する。詳しくは、第２照明器具群３１２の各第１照明器具３０１は、第６信号変換装置２０６に対して並列に接続する。また、図１９に示すように、第６信号変換装置２０６は、信号生成部２１０と、出力部２２０と、受信部２３０と、第６制御部２４６とを備える。
【０１５２】
信号生成部２１０は、第１照明器具群３１１の各第１照明器具３０１を制御するＤＡＬＩ信号を生成する。また、信号生成部２１０は、第２照明器具群３１２の各第１照明器具３０１を制御するＤＡＬＩ信号を生成する。
【０１５３】
出力部２２０は、第１照明器具群３１１の各第１照明器具３０１、及び第２照明器具群３１２の各第１照明器具３０１に電気的に接続する。詳しくは、出力部２２０は、第１出力部２２０ａと、第２出力部２２０ｂとを含む。第１出力部２２０ａ及び第２出力部２２０ｂは共に、出力端子２２１及び出力端子２２２を有する。第１出力部２２０ａの出力端子２２１及び出力端子２２２には、２本の信号線５１１ａ、５１１ｂが接続する。同様に、第２出力部２２０ｂの出力端子２２１及び出力端子２２２には、２本の信号線５１２ａ、５１２ｂが接続する。
【０１５４】
受信部２３０は、第１照明制御装置１０１から位相調光信号を受信する。また、受信部２３０は、第２照明制御装置１０２から位相切欠き信号を受信する。詳しくは、受信部２３０は、第１受信部２３０ａと第２受信部２３０ｂとを含む。第１受信部２３０ａは、第１照明制御装置１０１から位相調光信号を受信し、第２受信部２３０ｂは、第２照明制御装置１０２から位相切欠き信号を受信する。第１受信部２３０ａは、第１照明制御装置１０１から出力された位相調光信号に対応する信号を第６制御部２４６に入力する。第２受信部２３０ｂは、第２照明制御装置１０２から出力された位相切欠き信号に対応する信号を第６制御部２４６に入力する。
【０１５５】
第６制御部２４６は、第１受信部２３０ａが受信した位相調光信号に基づいて、信号生成部２１０を制御する。具体的には、第６制御部２４６は、位相調光信号の導通角に対応するＤＡＬＩ信号を生成するように、信号生成部２１０を制御する。この結果、第１照明器具群３１１の各第１照明器具３０１が、位相調光信号に対応する動作を実行する。本実施形態において、位相調光信号は、導通角によって、第１照明器具群３１１の各第１照明器具３０１から出射される光の光量を制御する制御値を示す。したがって、第１照明器具群３１１の各第１照明器具３０１は、位相調光信号に対応する光を発生する。
【０１５６】
また、第６制御部２４６は、第２受信部２３０ｂが受信した位相切欠き信号に基づいて、信号生成部２１０を制御する。具体的には、第６制御部２４６は、位相切欠き信号の切欠きパターンに対応するＤＡＬＩ信号を生成するように、信号生成部２１０を制御する。この結果、第２照明器具群３１２の各第１照明器具３０１が、位相切欠き信号に対応する動作を実行する。本実施形態において、位相切欠き信号は、切欠きパターンによって、第２照明器具群３１２の各第１照明器具３０１から出射される光の光量及び光色の少なくとも一方を制御する制御値を示す。したがって、第２照明器具群３１２の各第１照明器具３０１は、位相切欠き信号に対応する光を発生する。
【０１５７】
詳しくは、第６制御部２４６は、位相調光テーブルと、位相切欠き調光テーブルと、位相切欠き調色テーブルと、ＤＡＬＩ調光テーブルと、ＤＡＬＩ調色テーブルとを記憶する。第６制御部２４６は、位相調光信号に対応するＤＡＬＩ信号を生成する際に、位相調光テーブルとＤＡＬＩ調光テーブルとを参照する。また、第６制御部２４６は、位相切欠き信号に対応するＤＡＬＩ信号を生成する際に、位相切欠き調光テーブル、位相切欠き調色テーブル、ＤＡＬＩ調光テーブル、及びＤＡＬＩ調色テーブルを参照する。
【０１５８】
信号生成部２１０は、第２整流回路２１１と、第１ＤＣ／ＤＣコンバータ２１２ａと、第１スイッチ素子２１３ａと、第２スイッチ素子２１３ｂとを備える。
【０１５９】
第１ＤＣ／ＤＣコンバータ２１２ａの高電位側の出力端子は、第１出力部２２０ａの出力端子２２１と、第２出力部２２０ｂの出力端子２２１とに電気的に接続する。第１ＤＣ／ＤＣコンバータ２１２ａの低電位側の出力端子は、第１スイッチ素子２１３ａを介して、第１出力部２２０ａの出力端子２２２に電気的に接続する。また、第１ＤＣ／ＤＣコンバータ２１２ａの低電位側の出力端子は、第２スイッチ素子２１３ｂを介して、第２出力部２２０ｂの出力端子２２２に電気的に接続する。
【０１６０】
第１スイッチ素子２１３ａの動作は、第６制御部２４６によって制御される。具体的には、第６制御部２４６は、第１照明制御装置１０１から出力された位相調光信号に対応するＤＡＬＩ信号が生成されるように、第１スイッチ素子２１３ａの動作を制御する。この結果、第１出力部２２０ａから第１照明器具群３１１の各第１照明器具３０１へ、位相調光信号に対応するＤＡＬＩ信号が出力される。
【０１６１】
同様に、第２スイッチ素子２１３ｂの動作は、第６制御部２４６によって制御される。具体的には、第６制御部２４６は、第２照明制御装置１０２から出力された位相切欠き信号に対応するＤＡＬＩ信号が生成されるように、第２スイッチ素子２１３ｂの動作を制御する。この結果、第２出力部２２０ｂから第２照明器具群３１２の各第１照明器具３０１へ、位相切欠き信号に対応するＤＡＬＩ信号が出力される。
【０１６２】
以上説明した実施形態６によれば、位相調光信号によって、第１照明器具群３１１を構成するＤＡＬＩ制御方式の照明器具（第１照明器具３０１）を制御することができる。また、位相切欠き信号によって、第２照明器具群３１２を構成するＤＡＬＩ制御方式の照明器具（第１照明器具３０１）を制御することができる。
【０１６３】
なお、本実施形態において、第１照明器具群３１１は複数の第１照明器具３０１を有したが、第１照明器具群３１１は１台の第１照明器具３０１を含み得る。同様に、第２照明器具群３１２は１台の第１照明器具３０１を含み得る。
【０１６４】
また、本実施形態において、第１照明器具群３１１及び第２照明器具群３１２は共に第１照明器具３０１によって構成されたが、第１照明器具群３１１及び第２照明器具群３１２は共に、ＰＷＭ制御方式の照明器具（第２照明器具３０２）によって構成されてもよい。この場合、第６信号変換装置２０６は、例えば、ＤＡＬＩ調光テーブル及びＤＡＬＩ調色テーブルに替えて、ＰＷＭ調光テーブルを記憶する。
【０１６５】
また、本実施形態では、第６信号変換装置２０６に第１照明制御装置１０１と第２照明制御装置１０２とが接続されたが、第６信号変換装置２０６に対し、２台の第１照明制御装置１０１が接続されてもよいし、２台の第２照明制御装置１０２が接続されてもよい。あるいは、第６信号変換装置２０６に第３照明制御装置１０３が接続されてもよい。この場合、第６信号変換装置２０６は、図１２を参照して説明した第１判別処理を実行する。
【０１６６】
［実施形態７］
続いて図２０及び図２１を参照して本発明の実施形態７について説明する。但し、実施形態１〜６と異なる事項を説明し、実施形態１〜６と同じ事項についての説明は適宜割愛する。実施形態７は、信号変換装置の構成が実施形態１〜６と異なる。
【０１６７】
図２０は、実施形態７に係る照明システム１を示す図である。図２０に示すように、実施形態７に係る照明システム１は、第１照明制御装置１０１と、第２照明制御装置１０２と、第７信号変換装置２０７と、第１照明器具群３１１と、第２照明器具群３１２とを備える。本実施形態において、第１照明器具群３１１は複数の第１照明器具３０１を含み、第２照明器具群３１２は複数の第２照明器具３０２を含む。
【０１６８】
第７信号変換装置２０７は、第１照明制御装置１０１から入力される位相調光信号に基づいて、ＰＷＭ信号を生成する。換言すると、第７信号変換装置２０７は、第１照明制御装置１０１から入力される位相調光信号をＰＷＭ信号に変換する。位相調光信号に対応するＰＷＭ信号は、第２照明器具群３１２の各第２照明器具３０２に入力される。
【０１６９】
また、第７信号変換装置２０７は、第２照明制御装置１０２から入力される位相切欠き信号に基づいて、ＤＡＬＩ信号を生成する。換言すると、第７信号変換装置２０７は、第２照明制御装置１０２から入力される位相切欠き信号をＤＡＬＩ信号に変換する。位相切欠き信号に対応するＤＡＬＩ信号は、第１照明器具群３１１の各第１照明器具３０１に入力される。
【０１７０】
図２１は、第７信号変換装置２０７の構成を示す図である。図２１に示すように、第７信号変換装置２０７は、信号生成部２１０と、出力部２２０と、受信部２３０と、第７制御部２４７とを備える。
【０１７１】
信号生成部２１０は、第１照明器具群３１１の各第１照明器具３０１を制御するＤＡＬＩ信号を生成する。また、信号生成部２１０は、第２照明器具群３１２の各第２照明器具３０２を制御するＰＷＭ信号を生成する。
【０１７２】
出力部２２０は、第１照明器具群３１１の各第１照明器具３０１、及び第２照明器具群３１２の各第２照明器具３０２に電気的に接続する。詳しくは、出力部２２０は、第１出力部２２０ａと、第２出力部２２０ｂとを含む。第１出力部２２０ａは、第１出力端子２２１ａ及び第２出力端子２２２ａを含み、第２出力部２２０ｂは、第３出力端子２２１ｂ及び第４出力端子２２２ｂを含む。第１出力端子２２１ａ及び第２出力端子２２２ａには、２本の信号線５１１ａ、５１１ｂが接続し、第３出力端子２２１ｂ及び第４出力端子２２２ｂには、２本の信号線５１２ａ、５１２ｂが接続する。
【０１７３】
本実施形態において、第１出力端子２２１ａ及び第３出力端子２２１ｂは高電位側（＋側）の出力端子であり、第２出力端子２２２ａ及び第４出力端子２２２ｂは低電位側（−側）の出力端子である。また、第１出力端子２２１ａの電位は第３出力端子２２１ｂよりも高い。一方、第２出力端子２２２ａ及び第４出力端子２２２ｂの電位は略同電位である。
【０１７４】
第７制御部２４７は、受信部２３０が受信した位相調光信号に基づいて、信号生成部２１０を制御する。具体的には、第７制御部２４７は、位相調光信号の導通角に対応するＰＷＭ信号を生成するように、信号生成部２１０を制御する。この結果、第２照明器具群３１２の各第２照明器具３０２が、位相調光信号に対応する動作を実行する。本実施形態において、位相調光信号は、導通角によって、第２照明器具群３１２の各第２照明器具３０２から出射される光の光量を制御する制御値を示す。したがって、第２照明器具群３１２の各第２照明器具３０２は、位相調光信号に対応する光を発生する。
【０１７５】
また、第７制御部２４７は、受信部２３０が受信した位相切欠き信号に基づいて、信号生成部２１０を制御する。具体的には、第７制御部２４７は、位相切欠き信号の切欠きパターンに対応するＤＡＬＩ信号を生成するように、信号生成部２１０を制御する。この結果、第１照明器具群３１１の各第１照明器具３０１が、位相切欠き信号に対応する動作を実行する。本実施形態において、位相切欠き信号は、切欠きパターンによって、第１照明器具群３１１の各第１照明器具３０１から出射される光の光量及び光色の少なくとも一方を制御する制御値を示す。したがって、第１照明器具群３１１の各第１照明器具３０１は、位相切欠き信号に対応する光を発生する。
【０１７６】
詳しくは、第７制御部２４７は、位相調光テーブルと、位相切欠き調光テーブルと、位相切欠き調色テーブルと、ＤＡＬＩ調光テーブルと、ＤＡＬＩ調色テーブルと、ＰＷＭ調光テーブルとを記憶する。第７制御部２４７は、位相調光信号に対応するＰＷＭ信号を生成する際に、位相調光テーブル及びＰＷＭ調光テーブルを参照する。また、第７制御部２４７は、位相切欠き信号に対応するＤＡＬＩ信号を生成する際に、位相切欠き調光テーブルと、位相切欠き調色テーブルと、ＤＡＬＩ調光テーブルと、ＤＡＬＩ調色テーブルとを参照する。
【０１７７】
信号生成部２１０は、第２整流回路２１１、第４ＤＣ／ＤＣコンバータ２１２ｄ、第１スイッチ素子２１３ａ、第２スイッチ素子２１３ｂ、及び２つの貫通コンデンサ２１４ａ、２１４ｂを備える。第４ＤＣ／ＤＣコンバータ２１２ｄは、高電位側の２つの出力端子と、低電位側の１つの出力端子とを有する。
【０１７８】
第４ＤＣ／ＤＣコンバータ２１２ｄの低電位側の出力端子は、第１スイッチ素子２１３ａを介して、第１出力部２２０ａの第２出力端子２２２ａに電気的に接続する。また、第４ＤＣ／ＤＣコンバータ２１２ｄの低電位側の出力端子は、第２スイッチ素子２１３ｂを介して、第２出力部２２０ｂの第４出力端子２２２ｂに電気的に接続する。
【０１７９】
第１出力部２２０ａの第１出力端子２２１ａは、第４ＤＣ／ＤＣコンバータ２１２ｄの２つの高電位側出力端子のうち、一方の高電位側出力端子に接続する。第１出力部２２０ａの第１出力端子２２１ａは、更に、２つの貫通コンデンサ２１４ａ、２１４ｂを介して、他方の高電位側出力端子にも接続している。一方、第２出力部２２０ｂの第３出力端子２２１ｂは、他方の高電位側出力端子にのみ接続している。この結果、第１出力端子２２１ａの電位が、第３出力端子２２１ｂの電位よりも高くなる。
【０１８０】
第４ＤＣ／ＤＣコンバータ２１２ｄ及び２つの貫通コンデンサ２１４ａ、２１４ｂは、第２整流回路２１１の出力に基づいて、互いに電圧値が異なる直流電圧を生成する。第４ＤＣ／ＤＣコンバータ２１２ｄ及び２つの貫通コンデンサ２１４ａ、２１４ｂによって生成される電圧の電圧値は、第７制御部２４７よって制御される。詳しくは、第７制御部２４７は、１６Ｖの直流電圧と１３Ｖの直流電圧とが生成されるように第４ＤＣ／ＤＣコンバータ２１２ｄを制御する。第４ＤＣ／ＤＣコンバータ２１２ｄは、典型的には、プッシュプル式の絶縁型ＤＣ／ＤＣコンバータである。例えば、第４ＤＣ／ＤＣコンバータ２１２ｄは、プッシュプル式フライバックコンバータであり得る。
【０１８１】
また、第７制御部２４７は、第１照明制御装置１０１から出力された位相調光信号に対応するＰＷＭ信号が生成されるように、第２スイッチ素子２１３ｂの動作を制御する。この結果、第２出力部２２０ｂから第２照明器具群３１２の各第２照明器具３０２へ、位相調光信号に対応するＰＷＭ信号が出力される。
【０１８２】
また、第７制御部２４７は、第２照明制御装置１０２から出力された位相切欠き信号に対応するＤＡＬＩ信号が生成されるように、第１スイッチ素子２１３ａの動作を制御する。この結果、第１出力部２２０ａから第１照明器具群３１１の各第１照明器具３０１へ、位相切欠き信号に対応するＤＡＬＩ信号が出力される。
【０１８３】
以上説明した実施形態７によれば、位相調光信号によって、第２照明器具群３１２を構成するＰＷＭ制御方式の照明器具（第２照明器具３０２）を制御することができる。また、位相切欠き信号によって、第１照明器具群３１１を構成するＤＡＬＩ制御方式の照明器具（第１照明器具３０１）を制御することができる。
【０１８４】
なお、本実施形態では、第７信号変換装置２０７が位相調光信号をＰＷＭ信号に変換したが、第７信号変換装置２０７は、位相調光信号をＤＡＬＩ信号に変換してもよい。同様に、第７信号変換装置２０７は、位相切欠き信号をＰＷＭ信号に変換してもよい。
【０１８５】
［実施形態８］
続いて図２２及び図２３を参照して本発明の実施形態８について説明する。但し、実施形態１〜７と異なる事項を説明し、実施形態１〜７と同じ事項についての説明は適宜割愛する。実施形態８は、照明制御装置の構成が実施形態１〜８と異なる。
【０１８６】
図２２は、実施形態８に係る照明システム１を示す図である。図２２に示すように、実施形態８に係る照明システム１は、第４照明制御装置１０４と、複数の第１照明器具３０１とを備える。第４照明制御装置１０４には、信号変換装置の構成が付加されている。
【０１８７】
図２３は、第４照明制御装置１０４の構成を示す図である。図２３に示すように、第４照明制御装置１０４は、第８制御部１１０、入力部１１１、及び信号生成部１１２を備える。第４照明制御装置１０４は、更に、信号生成部２１０、出力部２２０、受信部２３０、及び第１制御部２４１を備える。第４照明制御装置１０４の各部のうち、信号生成部２１０、出力部２２０、受信部２３０、及び第１制御部２４１は、信号変換装置を構成している。具体的には、第４照明制御装置１０４には、実施形態１において説明した第１信号変換装置２０１に対応する構成が付加されている。なお、以下の説明において、信号生成部２１０は「第１信号生成部２１０」と記載し、信号生成部１１２は「第２信号生成部１１２」と記載する。
【０１８８】
第２信号生成部１１２は、交流電源４００から供給される交流電圧の導通を制御して、位相調光信号を生成する。第２信号生成部１１２は、典型的にはスイッチ素子を含む。第２信号生成部１１２に含まれるスイッチ素子は、好ましくは半導体スイッチである。例えば、第２信号生成部１１２に含まれるスイッチ素子は、半導体スイッチの一例である双方向サイリスタ（所謂トライアック）である。
【０１８９】
入力部１１１はユーザーインターフェースであり、ユーザーの指令を受け付ける。例えば、入力部１１１は、ダイヤル（ボリュームつまみ）、複数個の押しボタン、又はタッチパネルを備える。あるいは、入力部１１１は、少なくとも１個の押しボタン、及びタッチパネルを備えてもよい。ユーザーは、入力部１１１を操作して、第１照明器具３０１を制御することができる。
【０１９０】
第８制御部１１０は、ユーザーによる入力部１１１の操作に基づいて、第２信号生成部１１２を動作させる。この結果、位相調光信号が生成される。具体的には、第２信号生成部１１２がスイッチ素子を含む場合、第８制御部１１０は、ユーザーによる入力部１１１の操作に基づいて、スイッチ素子のターンオン及びターンオフを制御する。
【０１９１】
第２信号生成部１１２によって生成された位相調光信号は、ユーザーによる入力部１１１の操作に対応する制御値を示す。本実施形態では、位相調光信号は、光の光量を制御する制御値を示す。
【０１９２】
なお、第８制御部１１０は、典型的には、マイクロコントロールユニットである。但し、第８制御部１１０は、マイクロコントロールユニットに限定されるものではない。例えば、第８制御部１１０は、ＣＰＵ、ＲＯＭ、及びＲＡＭによって構成されてもよい。
【０１９３】
第２信号生成部１１２によって生成された位相調光信号は、受信部２３０に入力される。この結果、実施形態１で説明したように、第１信号生成部２１０が、位相調光信号に対応するＤＡＬＩ信号を生成し、第１照明器具３０１が、位相調光信号に対応する動作を実行する。なお、本実施形態では、第１照明器具３０１は、位相調光信号に対応する光を発生する。
【０１９４】
以上、実施形態８について説明した。実施形態８によれば、ＤＡＬＩ制御方式（デジタル制御方式）に対応する照明器具を、位相調光信号に基づいて制御することができる。
【０１９５】
なお、本実施形態では、第１信号生成部２１０を制御する制御部（第１制御部２４１）と、第２信号生成部１１２を制御する制御部（第８制御部１１０）とが別部材であったが、１つの制御部（例えば、１つのマイクロコントロールユニット）が、第１信号生成部２１０及び第２信号生成部１１２を制御してもよい。
【０１９６】
また、本実施形態の照明制御装置（第４照明制御装置１０４）は内部で位相調光信号を生成したが、位相切欠き信号を生成してもよい。また、本実施形態の照明制御装置（第４照明制御装置１０４）はＤＡＬＩ信号を出力したが、ＰＷＭ信号を出力してもよい。また、本実施形態の照明制御装置（第４照明制御装置１０４）は、実施形態５において説明した第２判別処理を実行してもよい。
【０１９７】
以上、本発明の実施形態について図面を参照しながら説明した。但し、本発明は、上記の実施形態に限られるものではなく、その要旨を逸脱しない範囲で種々の態様において実施することが可能である。
【０１９８】
例えば、本発明による実施形態において、位相調光信号は、照明器具から出射される光の光量を制御したが、本発明はこれに限定されない。位相調光信号は、導通角によって、照明器具から出射される光の光量及び光色を制御する制御値を示してもよい。
【０１９９】
また、本発明による実施形態では、位相調光信号が正位相調光信号である場合を例に説明を行ったが、位相調光信号は逆位相調光信号であってもよい。逆位相調光信号は、交流電圧の半波の導通が終了する位相が制御される。逆位相調光信号の導通角は、交流電圧の半波が開始する位相（ゼロクロス点）から、交流電圧の半波の導通が終了する位相（導通終了位相）までの期間（交流電圧の半波のオン期間）を示す。
【０２００】
また、本発明による実施形態では、照明制御装置の初期起動時に第２判別処理が実行されたが、第２判別処理は、照明制御装置が起動する度に実行されてもよい。あるいは、第２判別処理は、照明制御装置に接続する照明器具の台数が変化する度に実行されてもよい。例えば、第２判別処理は、照明制御装置に接続する照明器具が追加又は変更される度に実行され得る。
【０２０１】
また、本発明による実施形態では、交流電源４００として商用交流電源を例示したが、交流電源４００は商用交流電源に限定されるものではなく、自家発電機等であってもよい。
【０２０２】
また、本発明による実施形態では、照明器具がＰＷＭ制御方式に対応する場合、照明器具から出射される光の光量を制御したが、本発明はこれに限定されない。すなわち、ＰＷＭ制御方式に対応する照明器具が、ＰＷＭ信号のデューティ比によって光量及び光色を制御できる機種である場合、照明器具から出射される光の光量及び光色を制御し得る。この場合、照明器具は複数色の照明素子を備える。また、信号変換装置の制御部は、ＰＷＭ調光テーブルに加えて、ＰＷＭ調色テーブルを記憶する。ＰＷＭ調色テーブルは、ＰＷＭ信号のデューティ比と光の光色との関係を示す。なお、ＰＷＭ制御方式に対応する照明器具が光量及び光色を制御できる機種である場合において、光の光量及び光色の一方のみが制御されてもよい。
【０２０３】
また、本発明による実施形態では、第２判別処理の実行時に、アドレスバイトがブロードキャストを示すＤＡＬＩ信号が生成されたが、本発明はこれに限定されない。例えば、照明器具の各々にアドレスが設定されている場合、クエリーコマンドを示すＤＡＬＩ信号を、照明器具に対して個別に送信し得る。
【符号の説明】
【０２０４】
１          照明システム
１０        位相調光信号
１１        半波
２０        ＤＡＬＩ信号
３０        位相切欠き信号
３１ａ      第１半波
３１ｂ      第２半波
３２        切欠き
４０        ＰＷＭ信号
１０１      第１照明制御装置
１０２      第２照明制御装置
１０３      第３照明制御装置
１０４      第４照明制御装置
１１２      信号生成部（第２信号生成部）
２０１      第１信号変換装置
２０２      第２信号変換装置
２０３      第３信号変換装置
２０４      第４信号変換装置
２０５      第５信号変換装置
２０６      第６信号変換装置
２０７      第７信号変換装置
２１０      信号生成部
２２０      出力部
２２０ａ    第１出力部
２２０ｂ    第２出力部
２３０      受信部
２３０ａ    第１受信部
２３０ｂ    第２受信部
２４１      第１制御部
２４２      第２制御部
２４３      第３制御部
２４４      第４制御部
２４５      第５制御部
２４６      第６制御部
２４７      第７制御部
２５０      信号検出部
３０１      第１照明器具
３０２      第２照明器具
３０３      第３照明器具
【図１】
2018160375.tif 000003
【図２】
2018160375.tif 000004
【図３】
2018160375.tif 000005
【図４】
2018160375.tif 000006
【図５】
2018160375.tif 000007
【図６】
2018160375.tif 000008
【図７】
2018160375.tif 000009
【図８】
2018160375.tif 000010
【図９】
2018160375.tif 000011
【図１０】
2018160375.tif 000012
【図１１】
2018160375.tif 000013
【図１２】
2018160375.tif 000014
【図１３】
2018160375.tif 000015
【図１４】
2018160375.tif 000016
【図１５】
2018160375.tif 000017
【図１６】
2018160375.tif 000018
【図１７】
2018160375.tif 000019
【図１８】
2018160375.tif 000020
【図１９】
2018160375.tif 000021
【図２０】
2018160375.tif 000022
【図２１】
2018160375.tif 000023
【図２２】
2018160375.tif 000024
【図２３】
2018160375.tif 000025